(57)【要約】【課題】ユーザが観光地における臨場感を得られ誘客を促進すること。【解決手段】位置を示す位置情報および進行方向を示す進行方向情報と、位置から進行方向に向って移動しながら撮像した全周動画情報とを対応付けて登録する全周動画登録部と、ユーザの位置情報と進行方向情報とを取得する位置情報取得部と、全周動画登録部から、取得した位置情報と進行方向情報とに対応する全周動画情報を検索して、配信する全周動画配信部と、配信された全周動画情報を受信して全周動画を再生し、ユーザによる視線変化情報の取得に応じて、再生された全周動画から選択された範囲の動画映像を表示する全周動画再生部と、を備える。【選択図】  図１Ａ
2016200884.tif 000002
【特許請求の範囲】
【請求項１】
位置を示す位置情報および進行方向を示す進行方向情報と、前記位置から前記進行方向に向って移動しながら撮像した全周動画情報とを対応付けて登録する全周動画登録手段と、
ユーザの位置情報と進行方向情報とを取得する位置情報取得手段と、
前記全周動画登録手段から、前記取得した位置情報と進行方向情報とに対応する全周動画情報を検索して、配信する全周動画配信手段と、
前記配信された全周動画情報を受信して全周動画を再生し、前記ユーザによる視線変化情報の取得に応じて、前記再生された全周動画から選択された範囲の動画映像を表示する全周動画再生手段と、
を備える観光誘客システム。
【請求項２】
前記位置情報取得手段は、表示された地図上の前記ユーザによる指示位置と移動方向とから、または、撮像された地図の位置と移動方向とから、前記位置情報と前記進行方向情報とを取得する請求項１に記載の観光誘客システム。
【請求項３】
前記位置情報取得手段は、前記ユーザが携帯する通信端末から前記位置情報と前記進行方向情報とを取得する請求項１に記載の観光誘客システム。
【請求項４】
前記位置情報取得手段は、前記位置情報の変化に基づいて移動速度を算出し、
前記全周動画再生手段は、前記配信された全周動画情報から前記移動速度に応じて全周動画を再生する、請求項１乃至３のいずれか１項に記載の観光誘客システム。
【請求項５】
前記位置情報と前記選択された範囲とに対応付けて、誘客情報を登録する誘客情報登録手段を、さらに備え、
前記全周動画配信手段は、前記全周動画情報に伴い前記登録された誘客情報を配信し、
前記全周動画再生手段は、前記再生された全周動画から選択された範囲の動画映像と前記範囲に関連する前記誘客情報とを出力する、請求項１乃至４のいずれか１項に記載の観光誘客システム。
【請求項６】
前記位置情報と前記選択された範囲とに対応付けて、誘客情報を他のシステムまたはユーザから受信する誘客情報受信手段を、さらに備え、
前記全周動画配信手段は、前記全周動画情報に伴い前記取得された誘客情報を配信し、  前記全周動画再生手段は、前記再生された全周動画から選択された範囲の動画映像と前記範囲に関連する前記誘客情報とを出力する、請求項１乃至５のいずれか１項に記載の観光誘客システム。
【請求項７】
前記誘客情報は、名所情報、景観情報、遺産情報、建造物情報、催し物情報、食事情報、グルメ情報、名産品情報、土産物情報、宿泊情報、交通情報、街路情報、および裏道情報の少なくとも１つの、動画情報、静止画情報および音声情報の少なくとも１つを含む請求項５または６に記載の観光誘客システム。
【請求項８】
前記全周動画登録手段は、前記全周動画情報を分岐点から分岐点の経路単位に登録して、さらに、前記分岐点においてお勧めの前記経路単位を接続するお勧めルートを登録し、
前記全周動画配信手段は、前記お勧めルートの前記全周動画情報を順次に配信する、請求項１乃至７のいずれか１項に記載の観光誘客システム。
【請求項９】
前記ユーザの位置情報と交通情報とに基づいて、前記ユーザが訪問可能な観光地のお勧めルートを前記ユーザに通知する誘客手段を、さらに備える請求項８に記載の観光誘客システム。
【請求項１０】
全周動画を撮像して、全周動画情報を前記位置情報および進行方向情報と共に投稿する全周動画情報投稿手段を、さらに備え、
前記全周動画登録手段は、前記投稿された全周動画情報を前記位置情報および進行方向情報に対応付けて登録し、
前記全周動画配信手段は、前記全周動画登録手段から、前記取得した位置情報と進行方向情報とに対応して前記投稿された全周動画情報を検索して、配信する、請求項１乃至９のいずれか１項に記載の観光誘客システム。
【請求項１１】
前記全周動画情報の配信と、前記配信された前記全周動画情報の利用状態と、前記全周動画情報の投稿と、のいずれかに対応して、ユーザにポイントを与えるポイント手段を、さらに備える請求項１乃至請求項１０のいずれか１項に記載の観光誘客システム。
【請求項１２】
ユーザの位置情報と進行方向情報とを取得する位置情報取得ステップと、
位置を示す位置情報および進行方向を示す進行方向情報と、前記位置から前記進行方向に向って移動しながら撮像した全周動画情報とを対応付けて登録する全周動画登録手段から、前記取得した位置情報と進行方向情報とに対応する全周動画情報を検索して、配信する全周動画配信ステップと、
前記配信された全周動画情報を受信して全周動画を再生し、ユーザによる視線変化情報の取得に応じて、前記再生された全周動画から選択された範囲の動画映像を表示する全周動画再生ステップと、
を含む観光誘客方法。
【請求項１３】
ユーザの位置情報および前記ユーザの進行方向情報と、前記位置情報および前記進行方向情報により検索される、分岐点から分岐点までの全周動画情報とを対応付けて格納する観光誘客用データベース。
【請求項１４】
位置を示す位置情報および進行方向を示す進行方向情報と、前記位置から前記進行方向に向って移動しながら撮像した全周動画情報とを対応付けて登録する全周動画登録手段と、
ユーザの位置情報と進行方向情報とを受信する位置情報取得手段と、
前記全周動画登録手段から、前記受信した位置情報と進行方向情報とに対応する全周動画情報を検索して、配信する全周動画配信手段と、
を備える情報処理装置。
【請求項１５】
ユーザの位置情報と進行方向情報とを受信する位置情報取得ステップと、
位置を示す位置情報および進行方向を示す進行方向情報と、前記位置から前記進行方向に向って移動しながら撮像した全周動画情報とを対応付けて登録する全周動画登録手段から、前記受信した位置情報と進行方向情報とに対応する全周動画情報を検索して、配信する全周動画配信ステップと、
を含む情報処理装置の制御方法。
【請求項１６】
ユーザの位置情報と進行方向情報とを受信する位置情報取得ステップと、
位置を示す位置情報および進行方向を示す進行方向情報と、前記位置から前記進行方向に向って移動しながら撮像した全周動画情報とを対応付けて登録する全周動画登録手段から、前記受信した位置情報と進行方向情報とに対応する全周動画情報を検索して、配信する全周動画配信ステップと、
をコンピュータに実行させる情報処理装置の制御プログラム。
【請求項１７】
ユーザの位置情報と進行方向情報とを取得する位置情報取得手段と、
前記位置情報と進行方向情報とを送信する送信手段と、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信手段と、
前記受信した全周動画情報から全周動画を再生し、前記ユーザによる視線変化情報の取得に応じて、前記再生された全周動画から選択された範囲の動画映像を表示する全周動画再生手段と、
を備える通信端末。
【請求項１８】
ユーザの位置情報と進行方向情報とを取得する位置情報取得ステップと、
前記位置情報と進行方向情報とを送信する送信ステップと、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信ステップと、
前記受信した全周動画情報から全周動画を再生し、前記ユーザによる視線変化情報の取得に応じて、前記再生された全周動画から選択された範囲の動画映像を表示する全周動画再生ステップと、
を含む通信端末の制御方法。
【請求項１９】
ユーザの位置情報と進行方向情報とを取得する位置情報取得ステップと、
前記位置情報と進行方向情報とを送信する送信ステップと、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信ステップと、
前記受信した全周動画情報から全周動画を再生し、前記ユーザによる視線変化情報の取得に応じて、前記再生された全周動画から選択された範囲の動画映像を表示する全周動画再生ステップと、
をコンピュータに実行させる通信端末の制御プログラム。
【発明の詳細な説明】
【技術分野】
【０００１】
本発明は、観光地への誘客を支援する技術に関する。
【背景技術】
【０００２】
上記技術分野において、特許文献１には、ユーザが指定した旅行ルートなどの移動経路の近傍に存在する特徴的な語句に関連づけられた、動画を含むコンテンツを配信する技術が開示されている。
【先行技術文献】
【特許文献】
【０００３】
【特許文献１】特開２００９−２６４７６２号公報
【発明の概要】
【発明が解決しようとする課題】
【０００４】
しかしながら、上記文献に記載の技術では、移動経路に関連する情報を得ることはできるが、ユーザが観光地における臨場感を得られ観光地への誘客を促進することができなかった。
【０００５】
本発明の目的は、上述の課題を解決する技術を提供することにある。
【課題を解決するための手段】
【０００６】
上記目的を達成するため、本発明に係る観光誘客システムは、
位置を示す位置情報および進行方向を示す進行方向情報と、前記位置から前記進行方向に向って移動しながら撮像した全周動画情報とを対応付けて登録する全周動画登録手段と、
ユーザの位置情報と進行方向情報とを取得する位置情報取得手段と、
前記全周動画登録手段から、前記取得した位置情報と進行方向情報とに対応する全周動画情報を検索して、配信する全周動画配信手段と、
前記配信された全周動画情報を受信して全周動画を再生し、前記ユーザによる視線変化情報の取得に応じて、前記再生された全周動画から選択された範囲の動画映像を表示する全周動画再生手段と、
を備える。
【０００７】
上記目的を達成するため、本発明に係る観光誘客方法は、
ユーザの位置情報と進行方向情報とを取得する位置情報取得ステップと、
位置を示す位置情報および進行方向を示す進行方向情報と、前記位置から前記進行方向に向って移動しながら撮像した全周動画情報とを対応付けて登録する全周動画登録手段から、前記取得した位置情報と進行方向情報とに対応する全周動画情報を検索して、配信する全周動画配信ステップと、
前記配信された全周動画情報を受信して全周動画を再生し、ユーザによる視線変化情報の取得に応じて、前記再生された全周動画から選択された範囲の動画映像を表示する全周動画再生ステップと、
を含む。
【０００８】
上記目的を達成するため、本発明に係る観光誘客用データベースは、
ユーザの位置情報および前記ユーザの進行方向情報と、前記位置情報および前記進行方向情報により検索される、分岐点から分岐点までの全周動画情報とを対応付けて格納する。
【０００９】
上記目的を達成するため、本発明に係る情報処理装置は、
位置を示す位置情報および進行方向を示す進行方向情報と、前記位置から前記進行方向に向って移動しながら撮像した全周動画情報とを対応付けて登録する全周動画登録手段と、
ユーザの位置情報と進行方向情報とを受信する位置情報取得手段と、
前記全周動画登録手段から、前記受信した位置情報と進行方向情報とに対応する全周動画情報を検索して、配信する全周動画配信手段と、
を備える。
【００１０】
上記目的を達成するため、本発明に係る情報処理装置の制御方法は、
ユーザの位置情報と進行方向情報とを受信する位置情報取得ステップと、
位置を示す位置情報および進行方向を示す進行方向情報と、前記位置から前記進行方向に向って移動しながら撮像した全周動画情報とを対応付けて登録する全周動画登録手段から、前記受信した位置情報と進行方向情報とに対応する全周動画情報を検索して、配信する全周動画配信ステップと、
を含む。
【００１１】
上記目的を達成するため、本発明に係る情報処理装置の制御プログラムは、
ユーザの位置情報と進行方向情報とを受信する位置情報取得ステップと、
位置を示す位置情報および進行方向を示す進行方向情報と、前記位置から前記進行方向に向って移動しながら撮像した全周動画情報とを対応付けて登録する全周動画登録手段から、前記受信した位置情報と進行方向情報とに対応する全周動画情報を検索して、配信する全周動画配信ステップと、
をコンピュータに実行させる。
【００１２】
上記目的を達成するため、本発明に係る通信端末は、
ユーザの位置情報と進行方向情報とを取得する位置情報取得手段と、
前記位置情報と進行方向情報とを送信する送信手段と、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信手段と、
前記受信した全周動画情報から全周動画を再生し、前記ユーザによる視線変化情報の取得に応じて、前記再生された全周動画から選択された範囲の動画映像を表示する全周動画再生手段と、
を備える。
【００１３】
上記目的を達成するため、本発明に係る通信端末の制御方法は、
ユーザの位置情報と進行方向情報とを取得する位置情報取得ステップと、
前記位置情報と進行方向情報とを送信する送信ステップと、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信ステップと、
前記受信した全周動画情報から全周動画を再生し、前記ユーザによる視線変化情報の取得に応じて、前記再生された全周動画から選択された範囲の動画映像を表示する全周動画再生ステップと、
を含む。
【００１４】
上記目的を達成するため、本発明に係る通信端末の制御プログラムは、
ユーザの位置情報と進行方向情報とを取得する位置情報取得ステップと、
前記位置情報と進行方向情報とを送信する送信ステップと、
情報処理装置において前記送信した位置情報および進行方向情報に対応して検索され、前記情報処理装置から配信された、前記位置情報が示す位置から前記進行方向情報が示す進行方向に向かって移動しながら撮像された全周動画情報を受信する全周動画受信ステップと、
前記受信した全周動画情報から全周動画を再生し、前記ユーザによる視線変化情報の取得に応じて、前記再生された全周動画から選択された範囲の動画映像を表示する全周動画再生ステップと、
をコンピュータに実行させる。
【発明の効果】
【００１５】
本発明によれば、ユーザが観光地における臨場感を得られ観光地への誘客を促進することができる。
【図面の簡単な説明】
【００１６】
【図１Ａ】本発明の第１実施形態に係る観光誘客システムの構成を示すブロック図である。
【図１Ｂ】本発明の第１実施形態に係る観光誘客システムが解決しようとする課題を可視化した図である。
【図１Ｃ】本発明の第１実施形態に係る観光誘客システムの効果を可視化した図である。
【図２Ａ】本発明の第２実施形態に係る観光誘客システムの動作概要を示す図である。
【図２Ｂ】本発明の第２実施形態に係る観光誘客システムの作用効果を示す図である。
【図３】本発明の第２実施形態に係る観光誘客システムの構成を示すブロック図である。
【図４】本発明の第２実施形態に係る観光誘客システムの動作手順を示すシーケンス図である。
【図５】本発明の第２実施形態に係る全周動画登録サーバの機能構成を示すブロック図である。
【図６】本発明の第２実施形態に係る全周動画配信サーバの機能構成を示すブロック図である。
【図７】本発明の第２実施形態に係る通信端末の機能構成を示すブロック図である。
【図８】本発明の第２実施形態に係る登録ＤＢの構成を示す図である。
【図９】本発明の第２実施形態に係る全周動画ＤＢの構成を示す図である。
【図１０】本発明の第２実施形態に係る全周動画選択テーブルの構成を示す図である。
【図１１Ａ】本発明の第２実施形態に係る位置情報判定テーブルと進行方向情報判定テーブルとの構成を示す図である。
【図１１Ｂ】本発明の第２実施形態に係る使用言語判定テーブルの構成を示す図である。
【図１２】本発明の第２実施形態に係る全周動画登録サーバのハードウェア構成を示すブロック図である。
【図１３】本発明の第２実施形態に係る全周動画登録サーバの処理手順を示すフローチャートである。
【図１４】本発明の第２実施形態に係る全周動画配信サーバのハードウェア構成を示すブロック図である。
【図１５】本発明の第２実施形態に係る全周動画配信サーバの処理手順を示すフローチャートである。
【図１６】本発明の第２実施形態に係る通信端末のハードウェア構成を示すブロック図である。
【図１７】本発明の第２実施形態に係る通信端末の処理手順を示すフローチャートである。
【図１８Ａ】本発明の第３実施形態に係る観光誘客システムの動作概要を示す図である。
【図１８Ｂ】本発明の第３実施形態に係る観光誘客システムの全周動画の表示を説明する図である。
【図１８Ｃ】本発明の第３実施形態に係る観光誘客システムの構成を示すブロック図である。
【図１８Ｄ】本発明の第３実施形態に係る観光誘客システムの動作手順を示すシーケンス図である。
【図１９】本発明の第３実施形態に係る通信端末の機能構成を示すブロック図である。
【図２０】本発明の第３実施形態に係る全周動画ＤＢと誘客情報ＤＢとの構成を示す図である。
【図２１Ａ】本発明の第３実施形態に係る全周動画選択テーブルの構成を示す図である。
【図２１Ｂ】本発明の第３実施形態に係る案内情報テーブルの構成を示す図である。
【図２２Ａ】本発明の第３実施形態に係る位置情報判定テーブルと進行情報判定テーブルとの構成を示す図である。
【図２２Ｂ】本発明の第３実施形態に係る再生速度判定テーブルの構成を示す図である。
【図２２Ｃ】本発明の第３実施形態に係る視線変化判定テーブルと拡大縮小判定テーブルとの構成を示す図である。
【図２３】本発明の第３実施形態に係る全周動画配信サーバの処理手順を示すフローチャートである。
【図２４】本発明の第３実施形態に係る通信端末の処理手順を示すフローチャートである。
【図２５】本発明の第４実施形態に係る観光誘客システムの構成を示すブロック図である。
【図２６Ａ】本発明の第４実施形態に係る観光誘客システムの動作手順を示すシーケンス図である。
【図２６Ｂ】本発明の第４実施形態に係る観光誘客システムの動作手順を示すシーケンス図である。
【図２７】本発明の第４実施形態に係る全周動画登録サーバの機能構成を示すブロック図である。
【図２８】本発明の第４実施形態に係る通信端末の機能構成を示すブロック図である。
【図２９Ａ】本発明の第４実施形態に係る全周動画ＤＢと誘客情報ＤＢとの関係を示す図である。
【図２９Ｂ】本発明の第４実施形態に係る全周動画ＤＢと誘客情報ＤＢとの構成を示す図である。
【図３０】本発明の第４実施形態に係る全周動画配信サーバの処理手順を示すフローチャートである。
【図３１】本発明の第４実施形態に係る通信端末の処理手順を示すフローチャートである。
【図３２】本発明の第５実施形態に係る観光誘客システムの構成を示すブロック図である。
【図３３】本発明の第５実施形態に係る観光誘客システムの動作手順を示すシーケンス図である。
【図３４】本発明の第５実施形態に係る全周動画配信サーバの機能構成を示すブロック図である。
【図３５】本発明の第５実施形態に係る観光誘客ＤＢの構成を示す図である。
【図３６】本発明の第５実施形態に係る全周動画配信サーバの処理手順を示すフローチャートである。
【図３７】本発明の第６実施形態に係る観光誘客システムの構成を示すブロック図である。
【発明を実施するための形態】
【００１７】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１８】
なお、以下の説明中における「全周動画」とは、複数のカメラまたは鏡と１つのカメラを組み合わせて、周囲の３６０度を撮像した動画、あるいは、天頂方向の動画を加えた天球動画をも示すものであるが、さらに、同時に取得した音声をも含む場合がある。また、「位置情報」は、ユーザの現在地、ユーザの携帯する端末の現在地、ユーザが観光目的とする位置、あるいは、地図上の指示位置、などを含む情報である。また、「進行方向情報」は、ユーザの向き、ユーザの携帯する端末の向き、端末画面への操作方向、カメラの撮像方向、などを含む情報である。
【００１９】
［第１実施形態］
本発明の第１実施形態としての観光誘客システム１００について、図１Ａを用いて説明する。観光誘客システム１００は、観光客を誘引するためのシステムである。
【００２０】
図１Ａに示すように、観光誘客システム１００は、全周動画登録部１０２と、位置情報取得部１０１と、全周動画配信部１０３と、全周動画再生部１０４と、を含む。全周動画登録部１０２は、位置を示す位置情報１２１および進行方向を示す進行方向情報１２２と、位置から進行方向に向って移動しながら撮像した全周動画情報１２３とを対応付けて登録する。位置情報取得部１０１は、ユーザの位置情報１１１と進行方向情報１１２とを取得する。全周動画配信部１０３は、全周動画登録部１０２から、取得した位置情報１１１と進行方向情報１１２とに対応する全周動画情報１３１を検索して、配信する。全周動画再生部１０４は、配信された全周動画情報１３１を受信して全周動画１４１を再生し、ユーザによる視線変化情報１４２の取得に応じて、再生された全周動画１４１から選択された範囲の動画映像１４３を表示する。
【００２１】
本実施形態によれば、ユーザの位置と進行方向とに対応する全周動画をユーザによる視線変化に応じて再生するので、ユーザが観光地における臨場感を得られ観光地への誘客を促進することができる。
【００２２】
以下、さらに本実施形態が解決しようとする課題とその効果とを、説明する。
【００２３】
図１Ｂは、本実施形態に係る観光誘客システム１００が解決しようとする課題１５０を可視化した図である。
【００２４】
観光誘客システム１００においては、取り分け地方においては、まず、ユーザに印象的な擬似体験を提供することで観光地として“知ってもらう”ことである。次に、ユーザに強い誘引情報を提供することで“来てもらう”ことである。そして、実際の観光地訪問の経験が深くユーザの心に残るようにすることで“また来てもらう”ことである。さらに、擬似体験や観光地訪問の実体験のユーザによる評価や、ユーザによる誘客情報の投稿などを促進して、ユーザに提供する情報を望ましいものに改善する。これらにより、誘客サイクルを創出することができる。
【００２５】
すなわち、ユーザに提供する情報は、体験型であり、かつ、直感型であることが望ましい。その要素としては、地図、文字、写真、音声などがあるが、本実施形態により提供される、ユーザによる視線変化に応じて選択表示される全周動画は、体験型と直感型の情報提供ができる。本実施形態の全周動画に、地図、文字、写真、音声などを組み合わせることで、さらに充実した情報提供が可能である。
【００２６】
さらに、ユーザへの全周動画を含む情報提供が、多言語対応であり、ユーザの使用言語を認識して対応する言語での情報提供が望まれる。
【００２７】
図１Ｃは、本実施形態に係る観光誘客システム１００の効果を可視化した図である。
【００２８】
本実施形態に係る観光誘客システム１００を提供することによって、地球１６０上のあらゆる地域から、印象的な観光地の擬似体験をしたユーザ、あるいは一度日本を訪れたユーザやその体験を追体験したユーザが、旅行先として日本を目指すことになる。また、本実施形態に係る観光誘客システム１００を提供することによって、日本国内１７０において、有名な名所がある観光地や、宣伝が多い、あるいは、交通の便がよい、都市に近い観光地のみでなく、印象的な観光地の臨場感を得たユーザ、あるいは一度地方を訪れたユーザやその体験を追体験したユーザが、旅行先として地方を目指すことになる。
【００２９】
本実施形態によれば、このようにして日本へのそして地方への誘客が促進される。
【００３０】
［第２実施形態］
次に、本発明の第２実施形態に係る観光誘客システムについて説明する。本実施形態に係る観光誘客システムは、旅行前にユーザの観光地での移動経路に伴って全周動画を再生することによって、ユーザが選択した観光地の臨場感を得られる。
【００３１】
《観光誘客システム》
図２Ａは、本実施形態に係る観光誘客システム２００の動作概要を示す図である。図２Ａは、観光地として“松山”を取り上げるが、これに限定されない。
【００３２】
ユーザは、通信端末２３０に本観光誘客システム２００のサービスを提供するアプリケーションをロードして起動する。スタートメニュー（初期画面）２０１において、プランから全周動画を選択するか、地図から全周動画を選択するかに分岐する。検索画面２０２において、プランから全周動画を選択するメニュー、または、全周動画を選択する地図、が表示される。以下、本実施形態においては、地図から位置情報と進行方向情報とを入力する場合を説明する。
【００３３】
全周動画を選択する地図を指や器具で矢印２２１のように操作することにより、位置と進行方向とが入力される。観光誘客システム２００は、入力された位置と進行方向とに対応する全周動画情報を検索して通信端末２３０に配信する。通信端末２３０は、配信された全周動画情報から全周動画を再生し、ユーザの視線変化の指示（２３５）に対応する範囲の動画映像が画面２０３に表示される。画面２０３の動画映像には、観光誘客システム２００に登録された誘客情報（図２Ａでは、食堂などを示すマーク）も重畳され、実際の観光地を歩きながら、回りを見回した臨場感と、提供される誘客情報を知ることができる。また、映像内のアイコン２３６をクリックすることにより対応する情報２０４が表示される。図２Ａにおいては、松山城の情報２０４が表示されている。
【００３４】
図２Ｂは、本実施形態に係る観光誘客システム２００の作用効果を示す図である。
【００３５】
本実施形態に係る観光誘客システム２００によれば、全周動画を再生することで、ユーザはまるで現地にいるような臨場感を得ながら、自分の観たいところを自由に観回すことができる。また、本実施形態に係る観光誘客システム２００によれば、現地の座標系と本プラットフォーム内の地図を紐付けることにより，ユーザはタブレットやスマートフォンを用いて観光マップ上に自分の現在位置を表示しながら、その位置からの全周動画を再生できる。また、本実施形態に係る観光誘客システム２００によれば、全周動画内に、ユーザにとって有益な情報（観光名所、温泉宿泊施設、グルメなど）を埋め込み、現地の風景の中から直接情報を閲覧できる。また、本実施形態に係る観光誘客システム２００によれば、外国人観光客の誘致を目的に、多言語に対応できる。
【００３６】
以下、上記作用効果を実現する観光誘客システム２００の構成を詳細に説明する。
【００３７】
（システムの構成）
図３は、本実施形態に係る観光誘客システム２００の構成を示すブロック図である。
【００３８】
観光誘客システム２００は、日本にあるスマートフォン２３１、タブレット２３２、あるいは、地球上の他地域にあるデスクトップＰＣ(Personal Computer)２３３、ノートＰＣ２３ｎを含む通信端末２３０を有する。なお、通信端末２３０は、上記例に限定されない。
【００３９】
観光誘客システム２００は、通信端末２３０とネットワーク３４０を介して接続された、全周動画登録サーバ３１０と、全周動画配信サーバ３２０と、を備える。全周動画登録サーバ３１０は、通信端末２３０に全周動画再生のための全周動画情報を、位置情報と進行方向情報とに対応付けて格納する全周動画データベース（以下、ＤＢ）３１１を有する。全周動画配信サーバ３２０は、全周動画ＤＢ３１１に格納された、通信端末２３０から送信された位置情報と進行方向情報とに対応する全周動画情報を全周動画ＤＢ３１１から検索して通信端末２３０に配信する。なお、全周動画登録サーバ３１０と全周動画配信サーバ３２０とは一体であってもよい。
【００４０】
観光誘客システム２００は、さらに、全周動画を撮像して全周動画情報を生成し、全周動画登録サーバ３１０に登録する全周動画撮像カメラ（以下、全周カメラ）３３１〜３３ｎを含む。なお、全周カメラ３３１は全周動画撮像の専用器であり、全周カメラ３３ｎはスマートフォンに搭載された機能である。
【００４１】
（システムの動作手順）
図４は、本実施形態に係る観光誘客システム２００の動作手順を示すシーケンス図である。
【００４２】
ステップＳ４０１において、全周動画登録サーバ３１０は、種々の送信元から全周動画情報を受信し、位置と進行方向とに対応付けて全周動画ＤＢ３１１に登録する。一方、通信端末２３０は、ステップＳ４０３において、端末ＩＤやユーザＩＤの登録を全周動画配信サーバ３２０に要求する。全周動画配信サーバ３２０は、ステップＳ４０５において、認証などが必要であれば認証後に、端末およびユーザを登録し、観光誘客システム２００のサービスを受けるためのアプリケーションを通信端末２３０に配信する。
【００４３】
通信端末２３０は、アプリケーションの起動後に、ステップＳ４０７において、地図情報を取得して位置情報と進行方向情報とを生成し、全周動画配信サーバ３２０を介して全周動画登録サーバ３１０に全周動画情報を要求する。なお、地図情報からの位置情報と進行方向情報との生成は、図２Ａのように表示画面に表示された地図上のフリップやスワイプから、接触位置とフリップやスワイプ方向に基づいて生成する。あるいは、表示された地図上の器具による指示に基づいてもよい。また、地図情報からの位置情報と進行方向情報との生成は、スマートフォンやタブレットなどのカメラによる地図の撮像により、地図映像から位置情報を、地図映像の移動方向から進行方向情報を生成してもよい。当然ながら、キーボードなどの操作部を使って位置情報と移動方向情報とを直接入力してもよい。位置情報と移動方向情報との入力は、上記例に限定されない。
【００４４】
全周動画登録サーバ３１０は、ステップＳ４１１において、通信端末２３０から受信した位置情報と移動方向情報とに対応する全周動画情報を、全周動画ＤＢ３１１から検索して、全周動画配信サーバ３２０に通知する。全周動画配信サーバ３２０は、ステップＳ４１３において、検索結果の全周動画情報を要求した通信端末２３０に配信する。この時に、全周動画登録サーバ３１０に格納されている、検索された全周動画情報に関連する誘客情報を読み出して、全周動画情報と共に配信する。なお、全周動画情報の配信は、全周動画配信サーバ３２０を経由して行なっても、全周動画登録サーバ３１０から通信端末２３０に直接行なってもよい。
【００４５】
通信端末２３０は、ステップＳ４１５において、起動されたアプリケーションにより配信された全周動画情報から全周動画を再生する。そして、ユーザからの指示、あるいは、通信端末２３０の回転移動、などから得られた視線変化の指示に対応して、再生された全周動画から視線方向の範囲を選択して表示する。なお、全周動画における視線方向の範囲の表示に対応して、視線方向の範囲に適応する誘客情報を重畳して表示する。なお、誘客情報には、名所情報、景観情報、遺産情報、建造物情報、催し物情報、食事情報、グルメ情報、名産品情報、土産物情報、宿泊情報、交通情報、街路情報、および裏道情報などが含まれる。なお、ここで、食事情報とは、当観光地に直接関係しない食事が可能な場所の情報であり、グルメ情報とは、特に当観光地と関連する有名な食事に関する場所も含む情報である。
【００４６】
ここで、ステップＳ４０３の端末およびユーザの登録、あるいは、ステップＳ４０９の位置情報と進行方向情報との送信、の処理中にユーザの使用言語に対応するための処理がされる。ユーザの使用言語については、メニューの選択、文字認識、音声認識、あるいは、通信端末の使用言語設定、などから判定が可能である。また、ユーザの使用言語に対応する処理、特に、全周動画情報や誘客情報についての処理は、使用言語に対応するデータを準備して選択する構成であっても、翻訳機能があれば翻訳して配信する、あるいは、配信後に通信端末内で翻訳する構成であってもよい。なお、多言語対応は、表示言語ばかりでなく音声言語に対して行なわれるのが望ましい。
【００４７】
《全周動画登録サーバの機能構成》
図５は、本実施形態に係る全周動画登録サーバ３１０の機能構成を示すブロック図である。
【００４８】
全周動画登録サーバ３１０は、通信制御部５０１と、全周動画情報受信部５０２と、全周動画情報格納部５０３と、全周動画ＤＢ３１１と、を備える。また、全周動画登録サーバ３１０は、全周動画情報検索部５０５と、全周動画情報読出部５０６と、を備える。
【００４９】
通信制御部５０１は、ネットワーク３４０を介して全周動画配信サーバ３２０、通信端末２３０および全周カメラ３３０と通信する。全周動画情報受信部５０２は、全周カメラ３３０から全周動画情報を受信する。そして、全周動画情報格納部５０３は、受信した全周動画情報を、全周動画を撮像した位置情報と進行方向情報とに対応付けて、検索可能に全周動画ＤＢ３１１に格納する。全周動画ＤＢ３１１は、全周動画を撮像した位置情報および進行方向情報と、対応する位置から進行方向に向って移動しながら撮像した全周動画情報とを対応付けて蓄積する。
【００５０】
全周動画情報検索部５０５は、全周動画配信サーバ３２０からの検索要求を受けて、全周動画ＤＢ３１１から位置情報と進行方向情報とに対応する全周動画情報を検索する。全周動画情報読出部５０６は、全周動画ＤＢ３１１から位置情報と進行方向情報とに対応して検索された全周動画情報を読み出して、全周動画配信サーバ３２０に通信端末２３０への配信のために送る。あるいは、全周動画配信サーバ３２０の指示により、直接、通信端末２３０へ配信する。
【００５１】
《全周動画配信サーバの機能構成》
図６は、本実施形態に係る全周動画配信サーバ３２０の機能構成を示すブロック図である。
【００５２】
全周動画配信サーバ３２０は、通信制御部６０１と、通信端末およびユーザの登録情報受信部６０２と、登録ＤＢ６０３と、を備える。また、全周動画配信サーバ３２０は、位置情報および進行方向情報受信部６０４と、全周動画情報検索指示部６０５と、全周動画情報取得部６０６と、全周動画情報配信部６０７と、を備える。
【００５３】
通信制御部６０１は、ネットワーク３４０を介して全周動画登録サーバ３１０、通信端末２３０および全周カメラ３３０と通信する。通信端末およびユーザの登録情報受信部６０２は、通信端末２３０から登録する通信端末およびユーザの登録情報を受信する。登録ＤＢ６０３は、受信した通信端末およびユーザの登録情報を、認証が必要であれば認証後に、登録する。
【００５４】
位置情報および進行方向情報受信部６０４は、全周動画を要求する通信端末２３０から位置情報および進行方向情報を受信する。全周動画情報検索指示部６０５は、通信端末２３０やユーザが登録されていれば、通信端末２３０から受信した位置情報および進行方向情報に基づいて、全周動画登録サーバ３１０に対して全周動画情報の検索を指示する。
【００５５】
全周動画情報取得部６０６は、全周動画登録サーバ３１０から検索結果の全周動画情報を取得する。全周動画情報配信部６０７は、検索結果の全周動画情報を要求した通信端末２３０に配信する。なお、全周動画登録サーバ３１０から通信端末２３０に全周動画情報を直接配信させる場合は、全周動画登録サーバ３１０に位置情報および進行方向情報を通知して、配信指示をすればよい。
【００５６】
《通信端末の機能構成》
図７は、本実施形態に係る通信端末２３０の機能構成を示すブロック図である。通信端末２３０は、図３の通信端末２３１〜２３ｎを代表するものであり、それぞれに特徴的な機能は省略している。
【００５７】
通信端末２３０は、通信端末情報およびユーザ情報取得部７０１と、通信端末およびユーザの登録情報送信部７０２と、通信制御部７０３と、を備える。また、通信端末２３０は、操作部７０４と、位置情報取得部７０５と、進行方向情報取得部７０６と、位置情報および進行方向情報送信部７０７と、を備える。また、通信端末２３０は、全周動画情報受信部７０８と、全周動画再生部７０９と、表示部７１０と、音声入出力部７１１と、を備える。
【００５８】
通信端末情報およびユーザ情報取得部７０１は、通信端末２３０からあるいはユーザ入力から、通信端末情報およびユーザ情報を取得する。通信端末およびユーザの登録情報送信部７０２は、取得した通信端末情報およびユーザ情報を、全周動画配信サーバ３２０に登録するために送信する。通信制御部７０３は、ネットワーク３４０を介して全周動画登録サーバ３１０、全周動画配信サーバ３２０および全周カメラ３３０と通信する。
【００５９】
操作部７０４は、タッチパネルや、キーボード、ポインティングデバイスを含み、ユーザの指示入力を受ける。位置情報取得部７０５は、操作部７０４からのユーザ入力あるいはカメラが撮像した画像から、全周動画情報を検索するための位置情報を取得する。また、進行方向情報取得部７０６は、操作部７０４からのユーザ入力あるいはカメラが撮像した画像から、全周動画情報を検索するための進行方向情報を取得する。位置情報および進行方向情報送信部７０７は、全周動画配信サーバ３２０を介して全周動画登録サーバ３１０から全周動画情報を検索するため、位置情報および進行方向情報を全周動画配信サーバ３２０に送信する。
【００６０】
全周動画情報受信部７０８は、全周動画配信サーバ３２０または全周動画登録サーバ３１０から検索された全周動画情報を受信する。全周動画再生部７０９は、受信した全周動画情報から全周動画を再生し、例えば、操作部７０４からのユーザの視線変化の指示に対応する範囲の動画映像情報を選択して出力する。全周動画に同期する立体音声がある場合は、選択して表示された範囲の動画映像に対応する立体音声が再生されて出力される。また、動画映像がズームインあるいはズームアウトされる場合は、ズームインあるいはズームアウトされ動画映像に応じて、立体音声が再生されて出力される。表示部７１０は、メニューなどの操作入力やアラームを表示すると共に、全周動画再生部７０９から出力されたユーザの視線変化の指示に対応する範囲の動画映像情報から動画映像を表示する。音声入出力部７１１は、全周動画再生部７０９から出力されたユーザの視線変化の指示に対応する範囲の動画映像情報に対応する音声情報から音声を出力する。
【００６１】
なお、全周動画情報受信部７０８は、全周動画情報と共に全周動画に関連付けて添付される誘客情報も受信する。その場合は、全周動画再生部７０９は、ユーザの視線変化の指示に対応する範囲の動画映像情報に重畳すべき誘客情報を選択して、重畳する。
【００６２】
（登録ＤＢ）
図８は、本実施形態に係る登録ＤＢ６０３の構成を示す図である。登録ＤＢ６０３は、全周動画配信サーバ３２０が有し、本観光誘客システムを利用可能な通信端末やユーザを登録する。
【００６３】
登録ＤＢ６０３は、通信端末ＩＤ８０１に対応付けて機器情報８０２を記憶する。機器情報８０２には、機種、性能、アドレスなどが含まれる。また、ユーザＩＤ８０３に対応付けて、ユーザ属性８０４を記憶する。ユーザ属性８０４には、国籍、使用言語、年齢、性別などが含まれる。かかるユーザ登録の使用言語を参照して、以降の使用言語を選択してもよい。
【００６４】
なお、認証が必要な場合は、さらに認証情報が追加して記憶される。
【００６５】
（全周動画ＤＢ）
図９は、本実施形態に係る全周動画ＤＢ３１１の構成を示す図である。全周動画ＤＢ３１１は、全周動画登録サーバ３１０が有し、日本あるいは世界の地域で撮像され収集された全周動画情報が、位置情報および進行方向情報に対応付けて登録されている。また、全周動画ＤＢ３１１は、ユーザに提案するお勧めコースが登録されている。
【００６６】
全周動画ＤＢ３１１は、位置情報９０１と、進行方向情報９０２と、使用言語情報９０３とに対応付けて、全周動画情報ＩＤ９０４を記憶する。そして、全周動画情報ＩＤ９０４に対応付けて、登録日９１５、登録者９１６、全周動画情報９１７を記憶する。さらに、本実施形態においては、全周動画情報９１７が、例えば、道路の開始分岐点９１８から終了分岐点９１９までのコンパクトな経路単位の全周動画として登録されている。かかる道路などの分岐点間の全周動画情報９１７を順次に選択して経路単位に接続することにより、コースが生成される。なお、図９の例では、使用言語情報９０３に対応した全周動画情報を格納するデータベースを示したが、データベースには登録指示元の所定言語の全周動画情報を格納し、アクセス時に対応言語に翻訳したり、別途翻訳処理をまとめて実行するようにしてもよい。
【００６７】
また、全周動画ＤＢ３１１は、お勧めのコースＩＤ９２１に対応付けて、第１全周動画情報９２２、第２全周動画情報９２３、…、第ｎ全周動画情報９２４、を記憶する。
【００６８】
（全周動画選択テーブル）
図１０は、本実施形態に係る全周動画選択テーブル１０００の構成を示す図である。全周動画選択テーブル１０００は、全周動画登録サーバ３１０が有し、通信端末２３０からの要求された全周動画情報を取得するために使用される。
【００６９】
全周動画選択テーブル１０００は、全周動画情報を要求したユーザＩＤ１００１と通信端末アドレス１００２とに対応付けて、位置情報１００３と進行方向情報１００４と使用言語１００５とを記憶する。そして、全周動画選択テーブル１０００は、位置情報１００３と進行方向情報１００４と使用言語１００５とにより検索した、全周動画情報ＩＤ１００６を記憶する。
【００７０】
（位置情報判定テーブルと進行情報判定テーブル）
図１１Ａは、本実施形態に係る位置情報判定テーブル１１１０と進行方向情報判定テーブル１１２０との構成を示す図である。位置情報判定テーブル１１１０は、種々の入力情報から全周動画情報を検索するための位置情報を判定するために使用される。進行方向情報判定テーブル１１２０は、種々の入力情報から全周動画情報を検索するための進行方向情報を判定するために使用される。
【００７１】
位置情報判定テーブル１１１０は、キーボードからの入力やポインティングデバイスによる選択などによる位置入力１１１１、通信端末２３０の表示画面上の地図の指示（タッチ）１１１２、または、通信端末２３０のカメラにより撮像された地図（あるいは、対象物写真）１１１３、などから判定される位置情報１００３を記憶する。
【００７２】
進行方向情報判定テーブル１１２０は、キーボードからの入力やポインティングデバイスによる選択などによる進行方向入力１１２１、通信端末２３０の表示画面上の地図への方向指示（フリップやスワイプ）１１２２、または、通信端末２３０のカメラにより撮像された地図（あるいは、対象物写真）の移動１１２３、などから判定される進行方向情報１００４を記憶する。
【００７３】
なお、入力情報は図１１Ａに限定されない。また、本実施形態においては、入力情報からの位置情報および進行方向情報の判定は、通信端末２３０で行なう場合を示すが、全周動画登録サーバ３１０や全周動画配信サーバ３２０で行なってもよい。
【００７４】
（使用言語判定テーブル）
図１１Ｂは、本実施形態に係る使用言語判定テーブル１１３０の構成を示す図である。使用言語判定テーブル１１３０は、ユーザの使用言語を判定して使用言語選択をするために使用される。
【００７５】
使用言語判定テーブル１１３０は、使用言語の判定に使用される情報として、通信端末２３０の機器設定１１３１、通信端末２３０からの選択入力１１３２、入力データ１１３３からの認識、音声入力１１３４からの認識、が示されている。そして、使用言語の判定に使用される情報から判定された使用言語１００５を記憶する。
【００７６】
なお、使用言語の判定に使用される情報は図１１Ｂに限定されない。また、本実施形態においては、入力情報からの使用言語の判定は、全周動画配信サーバ３２０で行なう場合を示すが、通信端末２３０や全周動画登録サーバ３１０で行なってもよい。
【００７７】
《全周動画登録サーバのハードウェア構成》
図１２は、本実施形態に係る全周動画登録サーバ３１０のハードウェア構成を示すブロック図である。
【００７８】
図１２で、ＣＰＵ(Central Processing Unit)１２１０は演算制御用のプロセッサであり、プログラムを実行することで図５の全周動画登録サーバ３１０の機能構成部を実現する。ＲＯＭ(Read Only Memory)１２２０は、初期データおよびプログラムなどの固定データを記憶する。また、通信制御部５０１は、ネットワーク３４０を介して通信端末２３０や全周動画配信サーバ３２０と通信する。なお、ＣＰＵ１２１０は１つに限定されず、複数のＣＰＵであっても、あるいは画像処理用のＧＰＵ(Graphics Processing Unit)を含んでもよい。また、通信制御部５０１は、ＣＰＵ１２１０とは独立したＣＰＵを有して、ＲＡＭ(Random Access Memory)１２４０の領域に送受信データを書き込みあるいは読み出しするのが望ましい。また、ＲＡＭ１２４０とストレージ１２５０との間でデータを転送するＤＭＡＣ(Direct Memory Access Controller)を設けるのが望ましい（図示なし）。したがって、ＣＰＵ１２１０は、ＲＡＭ１２４０にデータが受信あるいは転送されたことを認識してデータを処理する。また、ＣＰＵ１２１０は、処理結果をＲＡＭ１２４０に準備し、後の送信あるいは転送は通信制御部５０１やＤＭＡＣに任せる。
【００７９】
ＲＡＭ１２４０は、ＣＰＵ１２１０が一時記憶のワークエリアとして使用するランダムアクセスメモリである。ＲＡＭ１２４０には、本実施形態の実現に必要なデータを記憶する領域が確保されている。位置情報１２４１は、全周動画情報を検索するための情報である。進行方向情報１２４２は、全周動画情報を検索するための情報である。使用言語１２４３は、全周動画情報の使用言語を決定するための情報である。検索した全周動画情報１２４４は、全周動画ＤＢ３１１から位置情報１２４１と進行方向情報１２４２と使用言語１２４３とにより検索した検索結果である。送受信データ１２４５は、通信制御部５０１を介して送受信されるデータである。
【００８０】
ストレージ１２５０には、データベースや各種のパラメータ、あるいは本実施形態の実現に必要な以下のデータまたはプログラムが記憶されている。全周動画ＤＢ３１１は、全周動画情報を格納する。ストレージ１２５０には、以下のプログラムが格納される。登録サーバ制御プログラム１２５１は、本全周動画登録サーバ３１０の全体を制御する制御プログラムである。全周動画情報登録モジュール１２５２は、全周カメラ３３０からの全周動画情報を位置情報と進行方向情報とに対応付けて登録するモジュールである。全周動画情報検索モジュール１２５３は、通信端末２３０からの全周動画情報の要求に応じて位置情報と進行方向情報と使用言語により全周動画情報を検索するモジュールである。
【００８１】
なお、図１２のＲＡＭ１２４０やストレージ１２５０には、全周動画登録サーバ３１０が有する汎用の機能や他の実現可能な機能に関連するプログラムやデータは図示されていない。
【００８２】
《全周動画登録サーバの処理手順》
図１３は、本実施形態に係る全周動画登録サーバ３１０の処理手順を示すフローチャートである。このフローチャートは、図１２のＣＰＵ１２１０がＲＡＭ１２４０を用いて実行し、図５の機能構成部を実現する。
【００８３】
全周動画登録サーバ３１０は、ステップＳ１３１１において、全周動画情報の登録指示か否かを判定する。全周動画情報の登録指示であれば、全周動画登録サーバ３１０は、ステップＳ１３１３において、登録のために全周カメラ３３０からの全周動画情報を取得する。次に、全周動画登録サーバ３１０は、ステップＳ１３１５において、全周カメラ３３０が撮像した位置情報および進行方向情報を取得する。次に、全周動画登録サーバ３１０は、ステップＳ１３１７において、取得した全周動画情報から多言語用の全周動画情報を生成する。そして、全周動画登録サーバ３１０は、ステップＳ１３１９において、位置情報、進行方向情報および使用言語に対応付けて、取得した全周動画情報を全周動画ＤＢ３１１に登録する。
【００８４】
全周動画情報の登録指示でなければ、全周動画登録サーバ３１０は、ステップＳ１３２１において、全周動画情報の検索指示か否かを判定する。全周動画情報の検索指示であれば、全周動画登録サーバ３１０は、ステップＳ１３２３において、検索を求めた通信端末２３０からの位置情報および進行方向情報を取得する。次に、全周動画登録サーバ３１０は、ステップＳ１３２５において、検索を求めた通信端末２３０または通信端末２３０を使用するユーザの使用言語を取得する。そして、全周動画登録サーバ３１０は、ステップＳ１３２７において、位置情報、進行方向情報および使用言語に対応する全周動画情報を全周動画ＤＢ３１１から検索する。全周動画登録サーバ３１０は、ステップＳ１３２９において、検索した全周動画情報を通信端末２３０に配信するために、全周動画配信サーバ３２０に送信する。なお、直接、通信端末２３０に配信する構成であってもよい。
【００８５】
全周動画情報の登録指示でなく、全周動画情報の検索指示でもなければ、全周動画登録サーバ３１０は、ステップＳ１３３１において、他の処理を実行する。
【００８６】
なお、図９の説明でも前述したが、ステップＳ１３１７における多言語用の全周動画情報の生成処理は、全周動画情報の登録時に行なわずに、全周動画情報のアクセス時に行なってもよい。その場合には、ステップＳ１３１７が削除され、替わりに、ステップＳ１３２７において、登録元の言語から配信先の使用言語に翻訳されることになる。また、登録元の言語による登録後に、配信先として必要な言語への翻訳処理をまとめて行なって、データベースに用意してもよい。
【００８７】
《全周動画配信サーバのハードウェア》
図１４は、本実施形態に係る全周動画配信サーバ３２０のハードウェア構成を示すブロック図である。
【００８８】
図１４で、ＣＰＵ１４１０は演算制御用のプロセッサであり、プログラムを実行することで図６の全周動画配信サーバ３２０の機能構成部を実現する。ＲＯＭ１４２０は、初期データおよびプログラムなどの固定データを記憶する。また、通信制御部６０１は、ネットワーク３４０を介して通信端末２３０や全周動画登録サーバ３１０と通信する。なお、ＣＰＵ１４１０は１つに限定されず、複数のＣＰＵであっても、あるいは画像処理用のＧＰＵを含んでもよい。また、通信制御部６０１は、ＣＰＵ１４１０とは独立したＣＰＵを有して、ＲＡＭ１４４０の領域に送受信データを書き込みあるいは読み出しするのが望ましい。また、ＲＡＭ１４４０とストレージ１４５０との間でデータを転送するＤＭＡＣを設けるのが望ましい（図示なし）。したがって、ＣＰＵ１４１０は、ＲＡＭ１４４０にデータが受信あるいは転送されたことを認識してデータを処理する。また、ＣＰＵ１４１０は、処理結果をＲＡＭ１４４０に準備し、後の送信あるいは転送は通信制御部６０１やＤＭＡＣに任せる。
【００８９】
ＲＡＭ１４４０は、ＣＰＵ１４１０が一時記憶のワークエリアとして使用するランダムアクセスメモリである。ＲＡＭ１４４０には、本実施形態の実現に必要なデータを記憶する領域が確保されている。通信端末情報１４４１は、全周動画情報を要求する通信端末２３０の情報である。ユーザ情報１４４２は、全周動画情報を要求する通信端末２３０を使用しているユーザの情報である。位置情報１４４３は、全周動画情報を検索するため通信端末２３０から受信した情報である。進行方向情報１４４４は、全周動画情報を検索するため通信端末２３０から受信した情報である。配信する全周動画情報１４４５は、全周動画登録サーバ３１０が検索して通信端末２３０に配信する情報である。送受信データ１４４６は、通信制御部６０１を介して送受信されるメッセージである。
【００９０】
ストレージ１４５０には、データベースや各種のパラメータ、あるいは本実施形態の実現に必要な以下のデータまたはプログラムが記憶されている。登録ＤＢ６０３は、本観光誘客システム２００を利用する通信端末およびユーザを登録するデータベースである。ストレージ１４５０には、以下のプログラムが格納される。配信サーバ制御プログラム１４５１は、本全周動画配信サーバ３２０の全体を制御する制御プログラムである。通信端末およびユーザ登録モジュール１４５２は、登録ＤＢ６０３に本観光誘客システム２００を利用する通信端末およびユーザを登録するモジュールである。全周動画情報配信モジュール１４５３は、通信端末２３０からの全周動画情報の要求に応じて位置情報と進行方向情報と使用言語により検索された全周動画情報を、通信端末２３０に配信するモジュールである。
【００９１】
なお、図１４のＲＡＭ１４４０やストレージ１４５０には、全周動画配信サーバ３２０が有する汎用の機能や他の実現可能な機能に関連するプログラムやデータは図示されていない。
【００９２】
《全周動画配信サーバの処理手順》
図１５は、本実施形態に係る全周動画配信サーバ３２０の処理手順を示すフローチャートである。このフローチャートは、図１４のＣＰＵ１４１０がＲＡＭ１４４０を用いて実行し、図６の機能構成部を実現する。
【００９３】
全周動画配信サーバ３２０は、ステップＳ１５１１において、通信端末およびユーザの登録指示か否かを判定する。通信端末およびユーザの登録指示であれば、全周動画配信サーバ３２０は、ステップＳ１５１３において、登録のために通信端末２３０から通信端末情報およびユーザ情報を取得する。次に、全周動画配信サーバ３２０は、ステップＳ１５１５において、通信端末情報およびユーザ情報を登録ＤＢ６０３に登録する。
【００９４】
通信端末およびユーザの登録指示でなければ、全周動画配信サーバ３２０は、ステップＳ１５２１において、通信端末２３０からの全周動画情報の配信要求か否かを判定する。全周動画情報の配信要求であれば、全周動画配信サーバ３２０は、ステップＳ１５２３において、配信要求元の通信端末２３０から検索のための情報を取得する。すなわち、通信端末２３０から位置情報と進行方向情報、さらに、通信端末２３０において認識可能であれば使用言語情報を取得する。次に、全周動画配信サーバ３２０は、ステップＳ１５２５において、全周動画登録サーバ３１０に対して検索を指示する。
【００９５】
全周動画配信サーバ３２０は、ステップＳ１５２７において、全周動画登録サーバ３１０の検索ＯＫを待つ。検索ＯＫになれば、全周動画配信サーバ３２０は、ステップＳ１５２９において、検索結果の全周動画情報を通信端末２３０に配信する。検索ＯＫにならずにタイムアウトすると、全周動画配信サーバ３２０は、ステップＳ１５３１において、エラー処理を行なう。
【００９６】
通信端末およびユーザの登録指示でなく、全周動画情報の検索指示でもなければ、全周動画配信サーバ３２０は、ステップＳ１５４１において、他の処理を実行する。
【００９７】
《通信端末のハードウェア構成》
図１６は、本実施形態に係る通信端末２３０のハードウェア構成を示すブロック図である。
【００９８】
図１６で、ＣＰＵ１６１０は演算制御用のプロセッサであり、プログラムを実行することで図７の通信端末２３０の機能構成部を実現する。ＲＯＭ１６２０は、初期データおよびプログラムなどの固定データを記憶する。また、通信制御部７０３は、ネットワーク３４０を介して他の通信端末や各サーバと通信する。なお、ＣＰＵ１６１０は１つに限定されず、複数のＣＰＵであっても、あるいは画像処理用のＧＰＵを含んでもよい。また、通信制御部７０３は、ＣＰＵ１６１０とは独立したＣＰＵを有して、ＲＡＭ１６４０の領域に送受信データを書き込みあるいは読み出しするのが望ましい。また、ＲＡＭ１６４０とストレージ１６５０との間でデータを転送するＤＭＡＣを設けるのが望ましい（図示なし）。さらに、入出力インタフェース１６６０は、ＣＰＵ１６１０とは独立したＣＰＵを有して、ＲＡＭ１６４０の領域に入出力データを書き込みあるいは読み出しするのが望ましい。したがって、ＣＰＵ１６１０は、ＲＡＭ１６４０にデータが受信あるいは転送されたことを認識してデータを処理する。また、ＣＰＵ１６１０は、処理結果をＲＡＭ１６４０に準備し、後の送信あるいは転送は通信制御部７０３やＤＭＡＣ、あるいは入出力インタフェース１６６０に任せる。
【００９９】
ＲＡＭ１６４０は、ＣＰＵ１６１０が一時記憶のワークエリアとして使用するランダムアクセスメモリである。ＲＡＭ１６４０には、本実施形態の実現に必要なデータを記憶する領域が確保されている。位置情報１６４１は、種々の入力情報から取得したユーザの位置のデータである。進行方向情報１６４２は、種々の入力情報から取得したユーザの進行方向のデータである。ユーザ情報１６４３は本通信端末２３０を使用しているユーザＩＤを含むユーザの情報である。配信された全周動画情報１６４４は、全周動画配信サーバ３２０から位置情報、進行方向情報、使用言語情報に対応して配信された全周動画情報である。再生された全周動画１６４５は、全周動画情報１６４４から再生された全周動画である。視線変化指示１６４６は、再生された全周動画１６４５の内から表示する範囲を指示する情報である。表示動画データ１６４７は、視線変化指示１６４６に従って選択された範囲の表示データである。入出力データ１６４８は、入出力インタフェース１６６０を介して入出力されるデータである。送受信データ１６４９は、通信制御部７０３を介して送受信されるメッセージである。
【０１００】
ストレージ１６５０には、データベースや各種のパラメータ、あるいは本実施形態の実現に必要な以下のデータまたはプログラムが記憶されている。通信端末情報１６５１は、本通信端末２３０の通信端末ＩＤを含む情報である。使用言語１６５２は、本通信端末２３０の使用言語が登録されている場合のオプショナルな情報である。地図ＤＢ１６５３は、本通信端末２３０が表示画面に表示する情報である。あるいは、カメラで撮像された地図とマッチングして位置情報を生成するための情報である。この地図ＤＢ１６５３は、通信端末２３０の移動に伴ってダウンロードされてもよい。
【０１０１】
ストレージ１６５０には、以下のプログラムが格納される。通信端末制御プログラム１６５４は、本通信端末２３０の全体を制御する制御プログラムである。通信端末ユーザ登録モジュール１６５５は、全周動画配信サーバ３２０に通信端末およびユーザを登録するためのモジュールである。全周動画情報取得モジュール１６５６は、全周動画配信サーバ３２０に全周動画情報の配信を要求して、検索された全周動画情報の配信を受信するモジュールである。全周動画再生モジュール１６５７は、受信した全周動画情報から全周動画を再生して、ユーザによる視線変化の指示に応じて、再生された全周動画から選択された範囲の動画映像を表示するモジュールである。
【０１０２】
入出力インタフェース１６６０は、入出力機器との入出力データをインタフェースする。入出力インタフェース１６６０には、表示部７１０、操作部７０４、音声入出力部７１１が接続される。また、入出力インタフェース１６６０には、ＧＰＳ位置算出部１６６１、方向検出部１６６２が接続される。方向検出部１６６２には、地磁気センサや加速度センサなどが含まれる。
【０１０３】
なお、図１６のＲＡＭ１６４０やストレージ１６５０には、通信端末２３０が有する汎用の機能や他の実現可能な機能に関連するプログラムやデータは図示されていない。
【０１０４】
《通信端末の処理手順》
図１７は、本実施形態に係る通信端末２３０の処理手順を示すフローチャートである。このフローチャートは、図１６のＣＰＵ１６１０がＲＡＭ１６４０を用いて実行し、図７の機能構成部を実現する。
【０１０５】
通信端末２３０は、ステップＳ１７１１において、通信端末およびユーザの登録要求か否かを判定する。通信端末およびユーザの要求指示であれば、通信端末２３０は、ステップＳ１７１３において、登録要求のために通信端末２３０から通信端末情報およびユーザ情報を取得する。次に、通信端末２３０は、ステップＳ１７１５において、通信端末情報およびユーザ情報を全周動画配信サーバ３２０に送信する。
【０１０６】
通信端末およびユーザの登録要求でなければ、通信端末２３０は、ステップＳ１７２１において、全周動画情報の配信要求か否かを判定する。全周動画情報の配信要求であれば、通信端末２３０は、ステップＳ１７２３において、種々の入力情報、特に地図情報から位置情報および進行方向情報を取得する。次に、通信端末２３０は、ステップＳ１７２５において、使用言語を判定するための使用言語関連情報を取得する。そして、通信端末２３０は、ステップＳ１７２７において、位置情報、進行方向情報および使用言語情報を、全周動画情報の取得要求として全周動画配信サーバ３２０に送信する。
【０１０７】
通信端末２３０は、ステップＳ１７２９において、全周動画配信サーバ３２０からの全周動画情報の返信を待つ。全周動画配信サーバ３２０からの全周動画情報を受信すれば、通信端末２３０は、ステップＳ１７３１において、受信した全周動画情報から全周動画を再生する。通信端末２３０は、ステップＳ１７３３において、ユーザあるいは通信端末からの視線変化の指示を取得する。そして、視線変化の指示を取得すれば、通信端末２３０は、ステップＳ１７３５において、視線方向の動画映像を選択して表示部７１０に表示する。全周動画配信サーバ３２０からの全周動画情報を受信せずにタイムアウトすると、通信端末２３０は、ステップＳ１７３７において、エラー処理をする。
【０１０８】
通信端末およびユーザの登録要求でなく、全周動画情報の検索要求でもなければ、通信端末２３０は、ステップＳ１７４１において、他の処理を実行する。
【０１０９】
本実施形態によれば、ユーザが選択した観光地の位置と進行方向とに対応する全周動画をユーザによる視線変化に応じて再生するので、ユーザが観光地における臨場感を得られ誘客を促進することができる。さらに、現地を観光中に利用可能な本システムのサービスをあらかじめ体験することができる。
【０１１０】
［第３実施形態］
次に、本発明の第３実施形態に係る観光誘客システムについて説明する。本実施形態に係る観光誘客システムは、上記第２実施形態と比べると、旅行中にユーザの観光地での移動に伴って、全周動画と共に現地の案内サービスを提供する点で異なる。その他の構成および動作は、第２実施形態と同様であるため、同じ構成および動作については同じ符号を付してその詳しい説明を省略する。
【０１１１】
なお、以下の本実施形態の説明では、随時に現在位置と移動方向とに対応する全周動画を取得して表示する例を示す。しかし、観光地の特定位置、例えば、駅や港、飛行場、駐車場などを起点にバックグラウンドで、現在位置と移動方向とに対応する全周動画の取得を繰り返し、ユーザが情報を得たいタイミングで直ぐに表示できるように制御することもできる。あるいは、観光地の特定位置を起点にバックグラウンドで、現在位置と移動方向とを継続的に算出しておき、ユーザが情報を得たいタイミングで全周動画を取得するように制御することもできる。さらに、今までの移動履歴から移動先を予測して全周動画をあらかじめ取得するように制御することもできる。
【０１１２】
《観光誘客システム》
図１８Ａは、本実施形態に係る観光誘客システム１８００の動作概要を示す図である。図１８Ａは、観光誘客システム１８００における、観光現場における携帯可能な通信端末１８３０、例えば、スマートフォンやタブレット、あるいはノートＰＣなどの表示画面を示す図である。
【０１１３】
図１８Ａにおいて、表示画面１８３４は、東京スカイツリー近辺を観光している時に、矢印１８３５の位置情報と進行方向情報とにより配信され再生された全周動画の、視線変化の指示部１８３６の指示に従う範囲の動画映像である。また、表示画面１８３７は、東京ＸＸ商店街を観光している時に、矢印１８３８の位置情報と進行方向情報とにより配信され再生された全周動画の、視線変化の指示部１８３９の指示に従う範囲の動画映像である。なお、指示部は図１８Ａに限定されない。図１８Ａには、表示画面１８３４に関連する誘客情報として撮影ポイントやグルメ情報サイトの指示ボタンや、表示画面１８３７に関連する誘客情報として、画面中の食堂などの案内、あるいは、温泉宿情報やグルメ情報の指示ボタンが出力されている。
【０１１４】
（全周動画の表示）
図１８Ｂは、本実施形態に係る観光誘客システム１８００の全周動画の表示を説明する図である。図１８Ｂには、全周画像フレーム１８７０と、通信端末２３０に全周動画中の視線に応じた領域の動画を生成するための球体１８８０と、を示す。
【０１１５】
全周画像フレーム１８７０は、例えば、複数カメラによる全周動画の撮像の場合は、各カメラの撮像動画を調整しながら合成することで生成される。なお、全周画像フレーム１８７０の上辺１８７１と下辺１８７２とは、左右に延びている。例えば、反射鏡と１つのカメラによる全周動画の撮像の場合は、全周画像フレーム１８７０を生成しなくても、球体１８８０に投影される。
【０１１６】
本実施形態の全周動画が通信端末１８３０で再生され、視線に応じた領域の動画映像が表示される。図１８Ｂの通信端末１８３０において、まず、全周画像フレーム１８７０が、球体１８８０に投影される。全周画像フレーム１８７０の上辺１８７１は、球体の頂点１８８１に投影される。全周画像フレーム１８７０の下辺１８７２は、球体の底１８８２に投影される。なお、下方の底領域は、全周カメラでは撮影できない直下領域に相当する。球体１８８０に投影された全周動画を球体１８８０の中心の視点１８８３から表示平面１８８５〜１８８７に投射すると、通信端末１８３０に全周動画中の視線に応じた領域の動画映像が表示される。
【０１１７】
図１８Ｂにおいて、球体１８８０には、配信された全周動画データが含む全周動画の、各全周画像フレーム１８７０を、球体面を覆うように順次に貼り付ける。そして、球体内部の視点１８８３から球体１８８０を覆った全周画像フレームを、通信端末１８３０の画面を示す表示平面１８８５や１８８６に投影した画像が、通信端末１８３０の表示画面に表示される。通信端末１８３０の表示平面１８８５、１８８６が視点１８８３を中心に回転すれば、動画映像の範囲も表示平面の回転につれて変化する。また、通信端末１８３０の表示平面がユーザの回りを回転すれば、表示される動画映像の範囲が３６０度回転する。また、通信端末１８３０の画面がユーザに対し上向き（１８８７）／下向き（１８８６）になると、見下ろした動画映像／見上げた動画映像となる。また、視点１８８３が球体の中心から視点１８８４に離れると、球体１８８０に近づいた方向ではズームインとなり、球体１８８０から離れた方向ではズームアウトとなる。
【０１１８】
このように、通信端末１８３０に表示される動画映像とユーザの視線方向とを同期して変化させることで、全周動画を実空間と同様に見渡すことができて、臨場感にあふれる全周動画の視聴が可能となる。なお、全周動画の視線あるいはズームイン／ズームアウトと、立体音声との再生方向と遠近との同期は、図１８Ｂの視線ベクトルと球体１８８０の交点と、視点から交点の距離とに基づいて実現できる。また、全周動画とは異なる人工的な映像を合成するには、他の球体を設けてその球体に画像を貼り付ければよい。３次元映像においては、視点から球体への距離の違いを奥行きとして表現することができる。なお、球体１８８０への貼り付けと投影による説明は、全周動画から通信端末１８３０の表示画面に表示する領域を取得する一例であって、窓（ウィンドウ）を視線に合わせて移動するなど、他の処理によっても可能である。また、ズームイン／ズームアウトについても、他の処理によって可能である。
【０１１９】
（システムの構成）
図１８Ｃは、本実施形態に係る観光誘客システム１８００の構成を示すブロック図である。なお、図１８Ｃにおいて、図３と同様の構成要素には同じ参照番号を付して、説明は省略する。
【０１２０】
観光誘客システム１８００は、日本にあるスマートフォン１８３１、タブレット１８３２、あるいは、地球上の他地域にあるタブレット１８３３、スマートフォン１８３ｎを含む通信端末１８３０を有する。なお、通信端末１８３０は、図３の通信端末２３０が観光地以外の場所で、観光地の臨場感を全周動画により得られるのに対して、観光地の現場で臨場感のある案内サービスを提供される違いはあるものの、その機能は同様である。
【０１２１】
観光誘客システム１８００は、通信端末１８３０とネットワーク３４０を介して接続された、全周動画登録サーバ１８１０と、全周動画配信サーバ１８２０と、を備える。全周動画登録サーバ１８１０は、全周動画ＤＢ３１１に加えて誘客情報ＤＢ１８１２を有する。全周動画配信サーバ１８２０は、全周動画情報の配信に対して観光地の現場でしか取得できない、あるいは、観光地の現場でしか利用できない誘客情報を付加する。なお、全周動画登録サーバ１８１０と全周動画配信サーバ１８２０とは一体であってもよい。
【０１２２】
観光誘客システム１８００は、さらに、観光地現場の情報を提供する現地情報提供サーバ１８５０と、観光現場で利用価値のある他の付加情報を提供する付加情報提供サーバ１８６０とを含む。
【０１２３】
観光地の現場でしか取得できない情報には、例えば、その期間にしかない、急な催し物情報や、当日の交通情報、名所の混雑情報、ガイドブックには無い現場情報などが含まれ、現地情報提供サーバ１８５０から誘客情報として全周動画情報に付加される。また、観光地の現場でしか利用できない情報には、例えば、天気情報、災害情報などが含まれ、各種の付加情報提供サーバ１８６０から誘客情報として全周動画情報に付加される。
【０１２４】
（システムの動作手順）
図１８Ｄは、本実施形態に係る観光誘客システム１８００の動作手順を示すシーケンス図である。なお、図１８Ｄにおいて、図４と同様のステップには同じステップ番号を付して、説明を省略する。
【０１２５】
通信端末１８３０は、ステップＳ１８０７において、通信端末１８３０が検出できる情報から位置情報と進行方向情報とを取得する。例えば、ＧＰＳなどから位置情報が取得できる。位置情報の変化から進行方向情報が取得できる。また、地磁気センサや加速度センサなどから進行方向情報が取得できる。さらに、カメラで撮像した映像から位置情報が、映像の変化から進行方向情報を取得することもできる。
【０１２６】
全周動画登録サーバ１８１０は、ステップＳ１８１２において、現地情報提供サーバ１８５０などから現地ならではの誘客情報を取得して登録する。そして、検索した全周動画情報に対応して、この誘客情報を取得する。全周動画配信サーバ１８２０は、ステップＳ１８１３において、検索された全周動画情報と共に、とりわけ現地の誘客情報を付加して通信端末１８３０に配信する。
【０１２７】
通信端末１８３０は、ステップＳ１８１６において、通信端末１８３０の検出情報から視線変化を取得する。そして、通信端末１８３０は、ステップＳ１８１７において、視線変化に応じた範囲の動画映像に、現地の案内情報を重畳して表示する。
【０１２８】
《通信端末の機能構成》
図１９は、本実施形態に係る通信端末１８３０の機能構成を示すブロック図である。なお、図１９において、図７と同様の機能構成部には同じ参照番号を付して、説明を省略する。
【０１２９】
位置情報取得部１９０５は、例えば、ＧＰＳによって位置情報を取得する。また、進行方向情報取得部１９０６は、例えば、位置情報の変化、あるいは、地磁気センサや加速度センサなどから進行方向情報を取得する。移動速度情報取得部１９１２は、ＧＰＳなどで取得した位置情報の変化から移動速度情報を算出する。また、視線変化情報取得部１９１３は、地磁気センサや加速度センサの情報、あるいは、カメラの撮像映像の傾きなどから、視線変化情報を取得する。そして、全周動画再生部１９０９は、位置情報取得部１９０５からの現在位置情報と、移動速度情報取得部１９１２からの移動速度情報と、に基づいて全周動画情報から現在位置の全周動画を再生し、視線変化情報取得部１９１３からの視線変化情報に対応する範囲の動画映像を生成して、表示部７１０に表示させる。なお、観光地の現場においても、地図を表示して指示することや、地図を指示してカメラで撮影することで、位置情報と進行方向情報とを取得することもできるが、観光現場では通信端末１８３０により自動的に取得するのが望ましい。
【０１３０】
（全周動画ＤＢと誘客情報ＤＢ）
図２０は、本実施形態に係る全周動画ＤＢ３１１と誘客情報ＤＢ１８１２との構成を示す図である。なお、図２０において、図９と同様の構成要素には同じ参照番号を付して、説明を省略する。また、図２０では、お勧めコースは省略している。
【０１３１】
検索結果の全周動画情報ＩＤ９０４に対応付けて、催し物情報２０１５、宿泊情報２０１６、交通情報２０１７などを記憶する。誘客情報には、さらに、名所情報、景観情報、遺産情報、建造物情報、食事情報、グルメ情報、名産品情報、土産物情報、街路情報、および裏道情報などが含まれ、それらの情報は、動画情報、静止画情報および音声情報、あるいはそれらの組み合わせで登録される。
【０１３２】
（全周動画選択テーブル）
図２１Ａは、本実施形態に係る全周動画選択テーブル２１００の構成を示す図である。なお、図２１Ａにおいて、図１０と同様の構成要素には同じ参照番号を付して、説明を省略する。
【０１３３】
全周動画選択テーブル２１００は、検索された全周動画情報ＩＤ１００６と共に、誘客情報ＩＤ２１０７を記憶する。
【０１３４】
（案内情報テーブル）
図２１Ｂは、本実施形態に係る案内情報テーブルの構成を示す図である。案内情報テーブルは、観光地の現地でユーザを案内するために使用される。案内情報テーブルは、コースの移動を案内するために使用されるテーブル２１１０と、現在地から訪問可能な観光地を案内するために使用されるテーブル２１２０と、を含む。
【０１３５】
テーブル２１１０は、通信端末ＩＤ２１１１、ユーザＩＤ２１１２、現在の位置情報２１１３、に対応付けて、コース案内２１１４、目的地案内２１１５、他コース案内２１１６を記憶する。ここで、コース案内２１１４は、ユーザが選んだコースを順に案内する情報であり、選択コース、次に再生する全周動画、次の目標地点、などが誘客情報として記憶され、ユーザに全周動画と共に提供される。また、目的地案内２１１５は、ユーザが目標とする目的地、目的地までの順路などが誘客情報として記憶され、ユーザに全周動画と共に提供される。また、他コース案内２１１６は、ユーザが選択したコースから変更可能なコース案内が、コース名や今のコースとの連絡点などで誘客情報として記憶され、ユーザに全周動画と共に提供される。
【０１３６】
テーブル２１２０は、通信端末ＩＤ２１１１、ユーザＩＤ２１１２、現在の位置情報２１１３、に対応付けて、所定の所要時間内あるいは所定距離内の観光地案内２１２４を誘客情報として記憶し、ユーザに全周動画と共に提供される。
【０１３７】
（位置情報判定テーブルと進行情報判定テーブル）
図２２Ａは、本実施形態に係る位置情報判定テーブル２２１０と進行方向情報判定テーブル２２２０との構成を示す図である。位置情報判定テーブル２２１０は、通信端末が自動的に取得できる情報から、全周動画情報を検索するための位置情報を判定するために使用される。進行方向情報判定テーブル２２２０は、通信端末が自動的に取得できる情報から、全周動画情報を検索するための進行方向情報を判定するために使用される。
【０１３８】
位置情報判定テーブル２２１０は、ＧＰＳ算出位置２２１１、または、撮像映像２２１２、などから判定される位置情報２２１３を記憶する。
【０１３９】
進行方向情報判定テーブル２２２０は、地磁気センサや加速度センサ２２２１、撮像映像の移動２２２２、などから判定される進行方向情報２２２３を記憶する。
【０１４０】
なお、通信端末の取得情報は図２２Ａに限定されない。また、本実施形態においては、位置情報および進行方向情報の判定は、通信端末１８３０で行なう場合を示すが、全周動画登録サーバ１８１０や全周動画配信サーバ１８２０で行なってもよい。
【０１４１】
（再生速度判定テーブル）
図２２Ｂは、本実施形態に係る再生速度判定テーブル２２３０の構成を示す図である。再生速度判定テーブル２２３０は、通信端末１８３０が検出した位置情報と位置情報の変化から算出される移動速度情報とから、全周動画の再生を制御するために使用される。
【０１４２】
再生速度判定テーブル２２３０は、通信端末１８３０が取得する位置情報２２３１に対応付けた、全周動画の再生位置２２３２、また、位置情報の変化から算出された移動速度情報２２３３に対応付けた、全周動画の再生速度２２３４を記憶する。
【０１４３】
このように、観光地において、現地点と全周画像の再生位置、および、移動速度と再生速度、を対応させることで、ユーザの移動と全周動画の再生を同期することができる。
【０１４４】
（視線変化判定テーブルと拡大縮小判定テーブル）
図２２Ｃは、本実施形態に係る視線変化判定テーブル２２４０と拡大縮小判定テーブル２２５０との構成を示す図である。視線変化判定テーブル２２４０は、通信端末１８３０が検出した情報から自動的に視線変化情報を生成するために使用される。拡大縮小判定テーブル２２５０は、通信端末１８３０が検出した情報から自動的に表示映像の拡大／縮小情報を生成するために使用される。
【０１４５】
視線変化判定テーブル２２４０は、地磁気センサや加速度センサの情報２２４１、または、搭載カメラによる撮像映像の傾き２２４２などの通信端末１８３０の方位および上下の向きから判定された、視線変化情報２２４３を記憶する。また、拡大縮小判定テーブル２２５０は、通信端末１８３０の画面向きと、加速度センサによる通信端末１８３０の動きとの情報２２５１、あるいは、撮像映像の離反や接近２２５２などから判定された、拡大／縮小情報を記憶する。なお、本例では、通信端末１８３０の画面がユーザから離れると縮小、ユーザに近づくと拡大としたが、限定されない。
【０１４６】
《全周動画配信サーバの処理手順》
図２３は、本実施形態に係る全周動画配信サーバ１８２０の処理手順を示すフローチャートである。このフローチャートは、図１４のＣＰＵ１４１０がＲＡＭ１４４０を用いて実行し、図６の機能構成部を実現する。なお、図２３において、図１５と同様のステップには同じステップ番号を付して、説明を省略する。
【０１４７】
全周動画配信サーバ１８２０は、ステップＳ２３１１において、検索した全周動画情報に現地の誘客情報を付加する必要があるか否かを判定する。なお、この判定は、例えば、全周動画情報を検索した位置情報や進行方向情報、あるいは、現在の日時、などから行なってもよい。現地の誘客情報を付加する必要があれば、全周動画配信サーバ１８２０は、ステップＳ２３１３において、現地情報を現地情報提供サーバ１８５０から取得する。また、全周動画配信サーバ１８２０は、ステップＳ２３１５において、他の付加情報を付加情報提供サーバ１８６０から取得する。そして、全周動画配信サーバ１８２０は、ステップＳ２３１７において、検索した全周動画情報に誘客情報を付加して通信端末１８３０に配信する。
【０１４８】
一方、現地の誘客情報を付加する必要がなければ、全周動画配信サーバ１８２０は、ステップＳ２３１７において、観光地の現地に特定されないあらかじめ登録された付加情報のみを誘客情報として付加して、全周動画情報を通信端末１８３０に配信する。
【０１４９】
《通信端末の処理手順》
図２４は、本実施形態に係る通信端末１８３０の処理手順を示すフローチャートである。このフローチャートは、図１６のＣＰＵ１６１０がＲＡＭ１６４０を用いて実行し、図７の機能構成部を実現する。なお、図２４において、図１７と同様のステップには同じステップ番号を付して、説明を省略する。
【０１５０】
通信端末１８３０は、ステップＳ２４３０において、通信端末１８３０の移動速度を取得する。次に、通信端末１８３０は、ステップＳ２４３１において、通信端末１８３０の移動速度に応じて全周動画を再生する。
【０１５１】
通信端末１８３０は、ステップＳ２４３３において、ユーザによる通信端末１８３０の移動、例えば、ユーザの回りの回転や上下移動など、あるいは、傾かせやユーザからの遠近移動などから、ユーザの操作指示からでなく視線変化を取得する。通信端末１８３０は、ステップＳ２４３４において、位置情報および視線情報に対応する誘客情報（特に現地情報）を抽出して、視線方向の動画映像に重畳する。
【０１５２】
本実施形態によれば、ユーザが訪れた位置と進行方向とに対応する全周動画をユーザによる視線変化に応じて再生して案内サービスを提供するので、ユーザに観光地における満足感を得られさらに誘客を促進することができる。
【０１５３】
［第４実施形態］
次に、本発明の第４実施形態に係る観光誘客システムについて説明する。本実施形態に係る観光誘客システムは、上記第２実施形態、第３実施形態と比べると、ユーザによる全周動画や誘客情報の投稿を促進する点で異なる。その他の構成および動作は、第２実施形態、第３実施形態と同様であるため、同じ構成および動作については同じ符号を付してその詳しい説明を省略する。
【０１５４】
《観光誘客システム》
図２５は、本実施形態に係る観光誘客システム２５００の構成を示すブロック図である。なお、図２５において、図１８Ｂと同様な構成要素には同じ参照番号を付して、説明を省略する。
【０１５５】
観光誘客システム２５００は、日本にあるスマートフォン２５３１、タブレット２５３２、あるいは、地球上の他地域にあるデスクトップＰＣ２５３３、ノートＰＣ２５３ｎを含む通信端末２５３０を有する。なお、図３の通信端末２３０は、観光地以外の場所で、観光地の臨場感を全周動画により得られ、図１８Ｃの通信端末１８３０は、観光地の現場で臨場感のある案内サービスを提供される。一方、通信端末２５３０は、全周動画登録サーバ２５１０に全周動画情報や誘客情報を投稿する点で違いはあるが、その機能は同様である。
【０１５６】
観光誘客システム２５００は、通信端末２５３０とネットワーク３４０を介して接続された、全周動画登録サーバ２５１０と、全周動画配信サーバ２５２０と、を備える。全周動画登録サーバ２５１０は、通信端末２５３０から投稿された全周動画情報を蓄積する全周動画ＤＢ２５１１と、通信端末２５３０から投稿された誘客情報を蓄積する誘客情報ＤＢ２５１２を有する。全周動画配信サーバ２５２０は、通信端末２５３０から投稿された全周動画情報や誘客情報を全周動画登録サーバ２５１０に登録させる。また、通信端末２５３０から投稿された観光中のカメラによる撮像画像を、全周動画情報に対応した範囲に重畳して、全周動画アルバムを生成し、通信端末２５３０に配信する。なお、全周動画登録サーバ２５１０と全周動画配信サーバ２５２０とは一体であってもよい。
【０１５７】
（システムの動作手順）
図２６Ａは、本実施形態に係る観光誘客システム２５００の動作手順を示すシーケンス図である。図２６Ａには、ステップＳ２６０１〜Ｓ２６０５の投稿手順と、ステップＳ２６１１〜Ｓ２６１９の投稿手順と、を示す。
【０１５８】
通信端末２５３０は、ステップＳ２６０１において、全周カメラにより全周動画を撮像する。そして、通信端末２５３０は、ステップＳ２６０３において、全周動画情報を位置情報および進行方向情報を付して、全周動画配信サーバ２５２０を介して全周動画登録サーバ２５１０に投稿する。全周動画登録サーバ２５１０は、ステップＳ２６０５において、投稿された全周動画情報を位置情報と進行方向情報とに対応付けて、検索可能に全周動画ＤＢ２５１１に登録する。
【０１５９】
次に、通信端末２５３０が、ステップＳ２６１１において、位置情報と進行方向情報とを取得して全周動画を要求し、全周動画登録サーバ２５１０が、ステップＳ２６１３において、位置情報と進行方向情報とに対応して全周動画情報を検索し、全周動画配信サーバ２５２０が、ステップＳ２６１５において、検索した全周動画情報を通信端末２５３０に配信する。通信端末２５３０は、ステップＳ２６１７において、再生中の配信された全周動画情報に付加したい誘客情報を、全周動画の映像表示方向に情報を付して、全周動画配信サーバ２５２０を介して全周動画登録サーバ２５１０に投稿する。付加したい誘客情報には、観光地の移動中に見付けた景観や、食堂や土産店の情報や、グルメメニュー、コースには入っていない建物、近道などがあるが、これらに限定されない。通信端末２５３０から投稿された誘客情報は、全周動画登録サーバ２５１０が、位置情報と映像表示方向とに対応付けて、誘客情報ＤＢ２５１２に登録する。
【０１６０】
図２６Ｂは、本実施形態に係る観光誘客システム２５００の他の動作手順を示すシーケンス図である。図２６Ｂには、ステップＳ２６１１〜Ｓ２６３９の投稿手順と、ステップＳ２６１１〜Ｓ２６４７の投稿手順と、を示す。なお、ステップＳ２６１１〜Ｓ２６１５の全周動画配信の手順は図２６Ａと同様であり、説明を省略する。
【０１６１】
通信端末２５３０は、ステップＳ２６３１において、カメラにより撮像をする。そして、通信端末２５３０は、ステップＳ２６３３において、撮像日時と再生中の全周動画情報ＩＤとを付して、撮像画像を投稿する。全周動画配信サーバ２５２０は、ステップＳ２６３５において、投稿された撮像画像を選別して、対応する全周動画の映像に重畳する。そして、全周動画登録サーバ２５１０は、ステップＳ２６３７において、投稿画像を重畳した全周動画情報を全周動画ＤＢ２５１１に登録する。なお、投稿画像を重畳した全周動画情報は、通信端末２５３０からの閲覧要求に対して配信、あるいは、誘客用の宣伝全周動画として使用するが、不特定多数に配信されることはない。通信端末２５３０は、生成された投稿画像を重畳した全周動画アルバムを閲覧再生する。なお、通信端末２５３０からの投稿画像は、カメラにより撮影された画像に限定されず、端末内外の画像やテキスト、ユーザが映像上に直接手描きで画像やメッセージを作成した画像であってもよい。
【０１６２】
次に、通信端末２５３０が全周動画情報を編集可能な場合、ステップＳ２６４１において、カメラにより撮像された画像は、ステップＳ２６４３において、全周動画情報に重畳される。通信端末２５３０は、ステップＳ２６４５において、撮像画像が重畳された全周動画情報を投稿する。撮像画像が重畳された全周動画情報は、全周動画配信サーバ２５２０を介して全周動画登録サーバ２５１０に投稿される、全周動画登録サーバ２５１０は、ステップＳ２６４７において、位置情報と進行方向情報とに対応付けて、撮像画像を重畳した全周動画情報を全周動画ＤＢ２５１１に登録する。なお、通信端末２５３０からの撮影画像は、カメラにより撮影された画像に限定されず、端末内外の画像やテキスト、ユーザが映像上に直接手描きで画像やメッセージを作成した画像であってもよい。
【０１６３】
《全周動画登録サーバの機能構成》
図２７は、本実施形態に係る全周動画登録サーバ２５１０の機能構成を示すブロック図である。なお、図２７において、図５と同様の機能構成部には同じ参照番号を付して、説明を省略する。
【０１６４】
全周動画登録サーバ２５１０は、全周動画ＤＢ２５１１を備える。全周動画ＤＢ２５１１には、通信端末２５３０から投稿された全周動画情報が登録される。全周動画登録サーバ２５１０は、投稿全周動画受信部２７０７と、投稿全周動画格納部２７０８と、投稿画像受信部２７０９と、投稿画像重畳部２７１０と、を備える。また、全周動画登録サーバ２５１０は、誘客情報受信部２７１１と、誘客情報登録部２７１２と、誘客情報ＤＢ２５１２と、を備える。
【０１６５】
投稿全周動画受信部２７０７は、通信端末２５３０から投稿された全周動画情報を位置情報と進行方向情報と共に受信する。この投稿された全周動画情報には、通信端末２５３０において撮像画像が重畳された全周動画情報も含まれる。投稿全周動画格納部２７０８は、受信した投稿された全周動画情報を、位置情報と進行方向情報とに対応付けて全周動画ＤＢ２５１１に登録する。投稿画像受信部２７０９は、通信端末２５３０がカメラで撮像して、再生中の全周動画と対応付けて投稿された、撮像画像を受信する。投稿画像重畳部２７１０は、投稿された撮像画像を全周動画情報の対応する動画映像に重畳して、位置情報と進行方向情報とに対応付けて全周動画ＤＢ２５１１に登録する。
【０１６６】
誘客情報受信部２７１１は、通信端末２５３０から投稿された誘客情報を受信する。誘客情報登録部２７１２は、受信した投稿された誘客情報を誘客情報ＤＢ２５１２に登録する。なお、投稿された誘客情報は、全周動画情報に紐付けられても、紐付けられていなくてもよいが、紐付けられている方が望ましい。誘客情報ＤＢ２５１２は、あらかじめ用意された誘客情報に加えて、通信端末２５３０から投稿された誘客情報を登録する。
【０１６７】
《通信端末の機能構成》
図２８は、本実施形態に係る通信端末２５３０の機能構成を示すブロック図である。なお、図２８において、図７と同様の機能構成部には同じ参照番号を付して、説明を省略する。
【０１６８】
通信端末２５３０は、誘客情報生成部２８１２と、誘客情報投稿部２８１３と、全周動画情報生成部２８１４と、全周動画情報投稿部２８１５と、を備える。
【０１６９】
誘客情報生成部２８１２は、操作部７０４からの入力やカメラからの撮像画像などから、ユーザが誘客に資すると感じる誘客情報を生成する。誘客情報投稿部２８１３は、生成した誘客情報を全周動画登録サーバ２５１０に投稿する。全周動画情報生成部２８１４は、全周カメラからの入力映像から全周動画情報を生成する。また、全周動画再生部７０９で再生された再生画像から、撮像画像や誘客情報を重畳した全周動画情報を生成する。図示しないが、撮像画像や誘客情報を重畳した全周動画情報を保存する構成を備えてもよい。全周動画情報投稿部２８１５は、全周動画情報生成部２８１４が生成した全周動画情報を、位置情報と進行方向情報と共、に全周動画登録サーバ２５１０に投稿する。
【０１７０】
（全周動画ＤＢと誘客情報ＤＢ）
図２９Ａは、本実施形態に係る全周動画ＤＢ２５１１と誘客情報ＤＢ２５１２との関係を示す図である。
【０１７１】
全周動画ＤＢ２５１１には、あらかじめ観光誘客システムが準備する全周動画ＤＢ３１１と、ユーザが通信端末２５３０から全周カメラで撮像して投稿した全周動画情報２９１２と、カメラで撮像した画像を重畳した全周動画情報２９１３と、が登録される。これらは、位置情報や進行方向情報などで関連付けられているが、別々に管理されるのが望ましい。
【０１７２】
誘客情報ＤＢ２５１２には、あらかじめ観光誘客システムが準備する誘客情報ＤＢ１８１２と、ユーザが通信端末２５３０から投稿した誘客情報２９１４と、が登録される。
【０１７３】
なお、誘客情報は全周動画情報の選択された範囲の動画映像と関連付けられるのが望ましい。
【０１７４】
図２９Ｂは、本実施形態に係る全周動画ＤＢ２５１１と誘客情報ＤＢ２５１２との構成を示す図である。なお、図２９Ｂにおいて、図９または図２０と同様の構成要素には同じ参照番号を付して、説明を省略する。また、図２９Ｂでは、お勧めコースは省略している。
【０１７５】
図２９Ｂでは、全周動画情報ＩＤ９０４から紐付けられた全周動画情報に、ユーザから投稿されたものか否かを表わす投稿フラグ２９２１が追加されている。投稿フラグ２９２１が×の場合は投稿でなく、○の場合は投稿であることを示す。また、全周動画情報ＩＤ９０４から紐付けられた誘客情報にも、ユーザから投稿されたものか否かを表わす投稿フラグ２９２２が追加されている。
【０１７６】
《全周動画配信サーバの処理手順》
図３０は、本実施形態に係る全周動画配信サーバ２５２０の処理手順を示すフローチャートである。なお、図３０には、図１５への追加部分のみを図示しており、図１５のステップＳ１５２１とＳ１５４１との間に挿入される。
【０１７７】
全周動画配信サーバ２５２０は、ステップＳ３０５１において、全周動画情報の投稿か否かを判定する。全周動画情報の投稿であれば、全周動画配信サーバ２５２０は、ステップＳ３０５３において、投稿された全周動画情報を位置情報および進行方向情報と共に取得する。そして、全周動画配信サーバ２５２０は、ステップＳ３０５５において、投稿フラグを○にして、位置情報および進行方向情報（および使用言語情報）に対応して、投稿された全周動画情報の全周動画ＤＢ２５１１への登録を指示する。
【０１７８】
全周動画情報の投稿でなければ、全周動画配信サーバ２５２０は、ステップＳ３０６１において、誘客情報の投稿か否かを判定する。誘客情報の投稿であれば、全周動画配信サーバ２５２０は、ステップＳ３０６３において、投稿された誘客情報を取得する。そして、全周動画配信サーバ２５２０は、ステップＳ３０６５において、投稿フラグを○にして、全周動画情報に関連付けて、投稿された誘客情報の誘客情報ＤＢ２５１２への登録を指示する。
【０１７９】
全周動画情報の投稿でなく、誘客情報の投稿でなければ、全周動画配信サーバ２５２０は、ステップＳ３０７１において、撮像画像の投稿か否かを判定する。撮像画像の投稿であれば、全周動画配信サーバ２５２０は、ステップＳ３０７３において、投稿された撮像画像を撮像日時に基づき、対応する全周動画の選択された動画映像に重畳する。そして、全周動画配信サーバ２５２０は、ステップＳ３０７５において、投稿フラグを○にして、位置情報および進行方向情報（および使用言語情報）に対応して、撮像画像を重畳した全周動画情報の全周動画ＤＢ２５１１への登録を指示する。
【０１８０】
《通信端末の処理手順》
図３１は、本実施形態に係る通信端末２５３０の処理手順を示すフローチャートである。なお、図３１には、図１７への追加部分のみを図示しており、図１７のステップＳ１７２１とＳ１７４１との間に挿入される。
【０１８１】
通信端末２５３０は、ステップＳ３１５１において、全周カメラで撮像した全周動画情報の投稿要求か否かを判定する。全周動画情報の投稿要求であれば、通信端末２５３０は、ステップＳ３１５３において、位置情報および進行方向情報を取得する。次に、通信端末２５３０は、ステップＳ３１５５において、全周カメラから全周動画情報を取得する。そして、通信端末２５３０は、ステップＳ３１５７において、位置情報および進行方向情報を付して、撮像した全周動画情報を投稿する。
【０１８２】
全周動画情報の投稿要求でなければ、通信端末２５３０は、ステップＳ３１６１において、誘客情報の投稿要求か否かを判定する。誘客情報の投稿要求であれば、通信端末２５３０は、ステップＳ３１６３において、誘客情報を取得する。そして、通信端末２５３０は、ステップＳ３１６５において、位置情報および視線方向を付して、誘客情報を投稿する。
【０１８３】
全周動画情報の投稿要求でなく、誘客情報の投稿要求でなければ、通信端末２５３０は、ステップＳ３１７１において、撮像画像の投稿要求か否かを判定する。撮像画像の投稿要求であれば、通信端末２５３０は、ステップＳ３１７３において、カメラで撮像した撮像画像を取得する。そして、通信端末２５３０は、ステップＳ３１７５において、位置情報および視線方向を付して、撮像画像を投稿する。
【０１８４】
全周動画情報の投稿要求でなく、誘客情報の投稿要求でなく、撮像画像の投稿要求でなければ、通信端末２５３０は、ステップＳ３１８１において、撮像画像の全周動画情報への重畳指示か否かを判定する。撮像画像の全周動画情報への重畳指示であれば、通信端末２５３０は、ステップＳ３１８３において、カメラによる撮像画像を取得する。次に、通信端末２５３０は、ステップＳ３１８５において、撮像画像を全周動画の撮像日時に位置の動画映像に重畳する。あるいは、休憩時や旅行後に全周動画を編集してもよい。そして、通信端末２５３０は、ステップＳ３１８７において、撮像画像を重畳した全周動画情報を投稿する。
【０１８５】
本実施形態によれば、ユーザによる全周動画や誘客情報の投稿を収集するので、再訪を促し、ユーザが望む観光地の案内サービスを提供してさらに誘客を促進することができる。
【０１８６】
［第５実施形態］
次に、本発明の第５実施形態に係る観光誘客システムについて説明する。本実施形態に係る観光誘客システムは、上記第２実施形態から第４実施形態と比べると、ユーザと観光誘客システムとの間でのコミュニケーション履歴を蓄積して、観光誘客システムが活用する点で異なる。その他の構成および動作は、第２実施形態から第４実施形態と同様であるため、同じ構成および動作については同じ符号を付してその詳しい説明を省略する。
【０１８７】
《観光誘客システム》
図３２は、本実施形態に係る観光誘客システム３２００の構成を示すブロック図である。なお、図３２において、図３または図２５と同様の構成要素には同じ参照番号を付して、説明を省略する。
【０１８８】
全周動画配信サーバ３２２０は、観光誘客ＤＢ３２２１を有し、日本中あるいは世界中で本観光誘客システム３２００を利用する通信端末２３１〜２３ｎと全周動画配信サーバ３２２０とのやりとり、あるいは、全周動画登録サーバ２５１０とのやりとり、を収集して蓄積し、適切な誘客情報の生成や誘客操作を行なう。例えば、全周動画情報の配信回数の累積などの集積情報、あるいは、ユーザの全周動画情報や誘客情報の評価、誘客情報の出力タイミングの評価、ユーザからの投稿数、ユーザからの問い合わせの受付やユーザへの返答などが収集されて、観光誘客ＤＢ３２２１に蓄積される。
【０１８９】
観光誘客ＤＢ３２２１に蓄積された情報は、全周動画配信サーバ３２２０において分析され、個々の全周動画情報や誘客情報の改善や、お勧めルートの改善、あるいは、特定の地域における誘客計画の改善に利用される。
【０１９０】
（システムの動作手順）
図３３は、本実施形態に係る観光誘客システム３２００の動作手順を示すシーケンス図である。なお、図３３において、図２６Ａあるいは図２６Ｂと同様のステップには同じステップ番号を付して、説明を省略する。また、図３３には、他のシーケンス図とも処理が重なるステップがあるが、それらは別途、新規なステップ番号を付している。
【０１９１】
全周動画配信サーバ３２２０は、ステップＳ３３０１において、観光誘客システム３２００を利用したユーザ情報やユーザへの配信情報の履歴を、観光誘客ＤＢ３２２１に蓄積する。
【０１９２】
また、通信端末２３０が、ステップＳ３３０３において、誘客情報や全周動画情報を投稿すると、全周動画登録サーバ２５１０は、ステップＳ３３０５において、誘客情報や全周動画情報を登録する。全周動画配信サーバ３２２０は、ステップＳ３３０７において、投稿された情報の履歴を、観光誘客ＤＢ３２２１に蓄積する。
【０１９３】
また、通信端末２３０は、ステップＳ３３０９において、再生した配信された全周動画情報の評価を全周動画配信サーバ３２２０に送信する。通信端末２３０は、ステップＳ３３１１において、観光の報告や観光の感想を全周動画配信サーバ３２２０に送信する。通信端末２３０は、ステップＳ３３１３において、全周動画配信サーバ３２２０とその他の種々の情報交換を行なう。全周動画配信サーバ３２２０は、ステップＳ３３１５において、各種情報の履歴を観光誘客ＤＢ３２２１に蓄積する。
【０１９４】
全周動画配信サーバ３２２０は、ステップＳ３３１７において、観光誘客ＤＢ３２２１に蓄積された履歴に基づき、例えば、全周動画情報および誘客情報を編集して改善する。そして、全周動画登録サーバ２５１０は、編集された全周動画情報や誘客情報を、全周動画ＤＢ２５１１と誘客情報ＤＢ２５１２に登録して、以降の配信に利用する。
【０１９５】
なお、図示しないが、全周動画情報の配信と、配信された全周動画情報の利用状態と、全周動画情報の投稿と、のいずれかに対応して、ユーザにポイントを与えて、誘客を促進する構成を有する。
【０１９６】
《全周動画配信サーバの機能構成》
図３４は、本実施形態に係る全周動画配信サーバ３２２０の機能構成を示すブロック図である。なお、図３４において、図６と同様の機能構成部には同じ参照番号を付して、説明を省略する。
【０１９７】
全周動画配信サーバ３２２０は、本観光誘客システム３２００の利用履歴および動作履歴を蓄積する観光誘客ＤＢ３２２１を備える。また、全周動画配信サーバ３２２０は、全周動画配信サーバ情報収集部３４０８と、通信端末情報収集部３４０９と、全周動画登録サーバ情報収集部３４１０と、を備える。また、全周動画配信サーバ３２２０は、観光傾向分析部３４１１と、観光傾向通知部３４１２と、を備える。
【０１９８】
全周動画配信サーバ情報収集部３４０８は、全周動画配信サーバ３２２０の動作履歴を収集して、観光誘客ＤＢ３２２１に蓄積する。通信端末情報収集部３４０９は、通信端末２３０の動作履歴を収集して、観光誘客ＤＢ３２２１に蓄積する。全周動画登録サーバ情報収集部３４１０は、全周動画登録サーバ２５１０の動作履歴を収集して、観光誘客ＤＢ３２２１に蓄積する。
【０１９９】
観光傾向分析部３４１１は、観光誘客ＤＢ３２２１に蓄積された利用履歴および動作履歴から、ユーザの観光傾向を分析する。観光傾向通知部３４１２は、観光傾向分析部３４１１が分析した分析結果を通信端末２３０からの閲覧要求に応じて通知する。また、全周動画配信サーバ３２２０および全周動画登録サーバ２５１０および通信端末２３０で協働し、分析結果を使用して全周動画情報や誘客情報の改善を行なう。
【０２００】
（観光誘客ＤＢ）
図３５は、本実施形態に係る観光誘客ＤＢ３２２１の構成を示す図である。観光誘客ＤＢ３２２１は、本観光誘客システム３２００の利用履歴および動作履歴を蓄積して、観光誘客の改善のために使用される。
【０２０１】
観光誘客ＤＢ３２２１は、全周動画情報ＩＤ３５１１の各々に対応付けて、配信に関する配信データ３５１２と、ユーザ評価データ３５１３と、誘客情報の評価データ３５１４と、を記憶する。配信データ３５１２には、配信回数、配信回数の増加率、配信先の傾向、同じユーザの配信の繰り返し回数、などが含まれる。ユーザ評価データ３５１３には、満足回数、不満回数、関連する問合せ回数、関連する投稿回数、などが含まれる。誘客情報の評価データ３５１４には、それぞれの誘客情報に対する評価を記憶する。
【０２０２】
また、お勧めの案内ルートＩＤ３５２１の各々に対応付けて、ルートを形成するために連結した全周動画情報３５２２と、ルートの使用データ３５２３と、ユーザ評価データ３５２４と、を記憶する。使用データ３５２３には、使用回数、使用回数の増加率、ルートの配信先の傾向、などが含まれる。また、ユーザ評価データ３５２４には、満足回数、不満回数、満足した場所、不満を感じた場所、などが含まれる。
【０２０３】
なお、これらの情報を、国籍や、居住地域により分類して統計すると、例えば、国により好まれる観光地や雰囲気、サービス内容、などが分析できる。また、年齢や性別などの属性により分類して統計すると、例えば、年代により興味を示す場所が異なるなどの傾向が得られる。
【０２０４】
《全周動画配信サーバの処理手順》
図３６は、本実施形態に係る全周動画配信サーバ３２２０の処理手順を示すフローチャートである。なお、図３６には、図３０への追加部分のみを図示しており、図３０のステップＳ３０７１とＳ１５４１との間に挿入される。
【０２０５】
全周動画配信サーバ３２２０は、ステップＳ３６８１において、全周動画の配信関連情報の蓄積指示か否かを判定する。配信関連情報の蓄積指示であれば、全周動画配信サーバ３２２０は、ステップＳ３６８３において、配信関連情報を収集する。そして、全周動画配信サーバ３２２０は、ステップＳ３６８５において、収集した配信関連情報の内、全周動画情報に関連するデータは、全周動画情報評価用データに追加する。また、全周動画配信サーバ３２２０は、ステップＳ３６８７において、収集した配信関連情報の内、お勧めの案内ルートに関連するデータは、案内ルート評価用データに追加する。
【０２０６】
全周動画の配信関連情報の蓄積指示でなければ、全周動画配信サーバ３２２０は、ステップＳ３６９１において、観光誘客のための観光誘客ＤＢ３２２１の情報分析指示か否かを判定する。観光誘客ＤＢ３２２１の情報分析指示であれば、全周動画配信サーバ３２２０は、ステップＳ３６９３において、全周動画情報評価用データを観光誘客ＤＢ３２２１から読み出す。そして、全周動画配信サーバ３２２０は、ステップＳ３６９５において、観光誘客アップのために、全周動画配信評価の原因分析と対策提案を行なう。なお、誘客情報の評価分析も含まれる。
【０２０７】
全周動画配信サーバ３２２０は、ステップＳ３６９７において、案内ルート評価用データを観光誘客ＤＢ３２２１から読み出す。そして、全周動画配信サーバ３２２０は、ステップＳ３６９９において、観光誘客アップのために、お勧めの案内ルート評価の原因分析と対策提案を行なう。
【０２０８】
本実施形態によれば、ユーザと観光誘客システムとの間でのコミュニケーション履歴を蓄積して、観光誘客システムが活用するので、よりユーザを勧誘できる観光地の案内サービスおよび観光地における案内サービスを提供してさらに誘客を促進することができる。
【０２０９】
［第６実施形態］
次に、本発明の第６実施形態に係る観光誘客システムについて説明する。本実施形態に係る観光誘客システムは、上記第２実施形態から第５実施形態と比べると、観光誘客システムを分散型として、クラウドサーバによりシステム全体を管理する点で異なる。その他の構成および動作は、第２実施形態から第５実施形態と同様であるため、同じ構成および動作については同じ符号を付してその詳しい説明を省略する。
【０２１０】
《観光誘客システムの構成》
図３７は、本実施形態に係る観光誘客システム３７００の構成を示すブロック図である。図３７において、図３と同様の構成要素には同じ参照番号を付して、説明を省略する。
【０２１１】
図３７において、観光誘客システム３７００は、地域ごとに、複数の全周動画配信サーバおよび複数の全周動画登録サーバで分散管理されている。全周動画登録サーバ３７１０と全周動画配信サーバ３７２０との組は、ネットワーク３７４０を介して、デスクトップＰＣ２３３とノートＰＣ２３ｎとに全周動画情報を含む誘客サービスを提供している。それぞれの全周動画登録サーバ３１０と３７１０とには、誘客サービスの対象地域の全周動画情報や誘客情報を詳細に有することにより、きめ細かい誘客サービスが可能である。
【０２１２】
そして、複数の全周動画配信サーバ３２０と３７２０、および、複数の全周動画登録サーバ３１０と３７１０とは、ネットワーク３７５０を介して、クラウドサーバ３７６０に接続される。クラウドサーバ３７６０は、観光誘客ＤＢ３７６１を有し、観光誘客システム３７００の全体を管理する。
【０２１３】
本実施形態によれば、観光誘客システムを分散型として、クラウドサーバによりシステム全体を管理するので、国や地域に合った観光地の案内サービスおよび観光地における案内サービスを提供してさらに誘客を促進することができる。
【０２１４】
［他の実施形態］
以上、実施形態を参照して本発明を説明したが、本発明は上記実施形態に限定されるものではない。本発明の構成や詳細には、本発明のスコープ内で当業者が理解し得る様々な変更をすることができる。また、それぞれの実施形態に含まれる別々の特徴を如何様に組み合わせたシステムまたは装置も、本発明の範疇に含まれる。
【０２１５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１Ａ】
2016200884.tif 000003
【図１Ｂ】
2016200884.tif 000004
【図１Ｃ】
2016200884.tif 000005
【図２Ａ】
2016200884.tif 000006
【図２Ｂ】
2016200884.tif 000007
【図３】
2016200884.tif 000008
【図４】
2016200884.tif 000009
【図５】
2016200884.tif 000010
【図６】
2016200884.tif 000011
【図７】
2016200884.tif 000012
【図８】
2016200884.tif 000013
【図９】
2016200884.tif 000014
【図１０】
2016200884.tif 000015
【図１１Ａ】
2016200884.tif 000016
【図１１Ｂ】
2016200884.tif 000017
【図１２】
2016200884.tif 000018
【図１３】
2016200884.tif 000019
【図１４】
2016200884.tif 000020
【図１５】
2016200884.tif 000021
【図１６】
2016200884.tif 000022
【図１７】
2016200884.tif 000023
【図１８Ａ】
2016200884.tif 000024
【図１８Ｂ】
2016200884.tif 000025
【図１８Ｃ】
2016200884.tif 000026
【図１８Ｄ】
2016200884.tif 000027
【図１９】
2016200884.tif 000028
【図２０】
2016200884.tif 000029
【図２１Ａ】
2016200884.tif 000030
【図２１Ｂ】
2016200884.tif 000031
【図２２Ａ】
2016200884.tif 000032
【図２２Ｂ】
2016200884.tif 000033
【図２２Ｃ】
2016200884.tif 000034
【図２３】
2016200884.tif 000035
【図２４】
2016200884.tif 000036
【図２５】
2016200884.tif 000037
【図２６Ａ】
2016200884.tif 000038
【図２６Ｂ】
2016200884.tif 000039
【図２７】
2016200884.tif 000040
【図２８】
2016200884.tif 000041
【図２９Ａ】
2016200884.tif 000042
【図２９Ｂ】
2016200884.tif 000043
【図３０】
2016200884.tif 000044
【図３１】
2016200884.tif 000045
【図３２】
2016200884.tif 000046
【図３３】
2016200884.tif 000047
【図３４】
2016200884.tif 000048
【図３５】
2016200884.tif 000049
【図３６】
2016200884.tif 000050
【図３７】
2016200884.tif 000051